(57)【要約】システムおよび方法は、一般に、無線通信ネットワークで動作しているノードの動作の周波数を動的に割り当て／再割り当てするために使用されうるスペクトルアロケータ（ＳＡ）の作成に関連して説明される。認可免除（ＬＥ）帯域においてＬＴＥ動作を可能にするため、無線リソース管理（ＲＲＭ）システムが、共存マネージャ、ポリシーエンジン、および検知ツールボックスのような、ＲＲＭに外部のモジュールと通信できるようにするインターフェイスを含むように増強される。
2015506604.tif 000002
【特許請求の範囲】
【請求項１】
可用性についてスペクトルを監視するために基地局で実施される方法であって、
前記スペクトル内の候補チャネルのリストを管理エンティティから受信するステップと、
使用の候補に関する前記リスト内の前記候補チャネルの少なくとも１つを監視するステップと
を備えることを特徴とする方法。
【請求項２】
候補チャネルの前記リストを受信する前記ステップは、前記スペクトル内の前記候補チャネルのその他の潜在的なユーザに関する共存情報を受信するステップをさらに備えることを特徴とする請求項１に記載の方法。
【請求項３】
前記監視に基づいて使用の前記リスト内の前記候補チャネルの少なくとも１つを選択するステップをさらに備えることを特徴とする請求項１に記載の方法。
【請求項４】
前記監視するステップは、
前記候補チャネルのうちＮ個を選択するステップであって、Ｎは候補チャネルの数と等しいかまたはそれよりも小さい整数であるステップを備えることを特徴とする請求項３に記載の方法。
【請求項５】
前記基地局によって監視されている前記チャネルの前記識別を前記管理エンティティに送信するステップをさらに備えることを特徴とする請求項１に記載の方法。
【請求項６】
前記Ｎ個の候補チャネルの少なくとも１つを監視するように送信／受信ユニット（ＷＴＲＵ）を構成するためのメッセージを、前記基地局と通信する前記ＷＴＲＵに送信するステップをさらに備えることを特徴とする請求項１に記載の方法。
【請求項７】
少なくとも１つのその他のユーザによるチャネルの特定の使用の検出に応答して、候補チャネル監視再選出手順を開始するステップをさらに備えることを特徴とする請求項１に記載の方法。
【請求項８】
少なくとも１つのその他のユーザによるチャネルの特定の使用の検出に応答して、候補チャネル監視再選出手順を開始するステップをさらに備えることを特徴とする請求項３に記載の方法。
【請求項９】
前記候補チャネル監視再選出手順は、更新済みチャネルリストを要求するメッセージを前記管理エンティティに送信するステップを備えることを特徴とする請求項８に記載の方法。
【請求項１０】
前記候補チャネル監視再選出手順は、前記特定の使用が検出されたチャネルを前記Ｎ個のチャネルから除去するステップと、このチャネルを前記更新済みチャネルリストからの別のチャネルと置き換えるステップとを備えることを特徴とする請求項９に記載の方法。
【請求項１１】
候補チャネルのステータス変更の通知を前記管理エンティティから受信するステップと、
ステータス変更の前記通知に応答して、候補チャネル監視再選出手順を開始するステップとをさらに備えることを特徴とする請求項１に記載の方法。
【請求項１２】
候補チャネルのステータス変更の通知を前記管理エンティティから受信するステップと、
ステータス変更の前記通知に応答して、候補チャネル監視再選出手順を開始するステップとをさらに備えることを特徴とする請求項３に記載の方法。
【請求項１３】
前記監視するステップは、
前記管理エンティティと対話するステップと、
１または複数の候補チャネルを前記基地局によって選択するステップと、
前記基地局によって、周波数間測定を開始するように認知検知対応の無線送信／受信ユニット（ＷＴＲＵ）を構成するステップとを備えることを特徴とする請求項１に記載の方法。
【請求項１４】
前記基地局によって前記認知検知対応のＷＴＲＵを構成する前記ステップは、ＲＲＣシグナリングを介して実行されることを特徴とする請求項１３に記載の方法。
【請求項１５】
前記ＷＴＲＵからの検出イベントを、前記基地局から受信するステップをさらに備えることを特徴とする請求項１３に記載の方法。
【請求項１６】
前記検出イベントがセカンダリユーザによる前記チャネルの使用を指示することを特徴とする請求項１５に記載の方法。
【請求項１７】
前記検出イベントがプライマリユーザによる前記チャネルの使用を指示することを特徴とする請求項１５に記載の方法。
【請求項１８】
前記検出イベントはＲＲＣシグナリングを介して受信されることを特徴とする請求項１５に記載の方法。
【請求項１９】
トリガーイベントが満たされる場合、前記共存マネージャから更新情報を受信するステップを備えることを特徴とする請求項１に記載の方法。
【請求項２０】
前記トリガーイベントが、別の基地局がチャネルを割り振ることであることを特徴とする請求項１９に記載の方法。
【請求項２１】
前記トリガーイベントが、しきい値を超えるチャネル使用であることを特徴とする請求項１９に記載の方法。
【請求項２２】
前記トリガーイベントが、前記チャネルリスト内のチャネルのチャネルタイプの変更であることを特徴とする請求項１９に記載の方法。
【請求項２３】
前記トリガーイベントが、前記チャネルリストへの候補チャネルの追加であることを特徴とする請求項１９に記載の方法。
【請求項２４】
認可免除（Ｌｉｃｅｎｓｅｄ  Ｅｘｅｍｐｔ）スペクトル内のチャネルの基地局による使用を割り振るために前記基地局内で実施される方法であって、
前記スペクトル内の候補チャネルのリストを共存管理エンティティから受信するステップと、
使用の候補に関する前記リスト内の前記候補チャネルの少なくとも１つを監視するステップと、
無線送信／受信ユニット（ＷＴＲＵ）と通信するために前記候補チャネルの少なくとも１つを使用するステップと、
前記少なくとも１つのチャネルのステータスに変化が発生したときに検出するステップと、
前記少なくとも１つのチャネルのステータスの変化の検出に応答して、前記少なくとも１つのチャネルが前記基地局による使用に引き続き使用可能であるかどうかを決定するステップと、
前記少なくとも１つのチャネルが前記基地局による使用に使用可能ではないと決定される場合、別のチャネルに切替えるステップと
を備えることを特徴とする方法。
【請求項２５】
前記ステータス変更がプライマリユーザによる少なくとも１つのチャネルの使用を備える場合、前記チャネルを退避するステップをさらに備えることを特徴とする請求項２４に記載の方法。
【請求項２６】
前記ステータス変更が、前記少なくとも１つのチャネルがプライマリユーザに割り当てられることを備える場合、プライマリユーザの監視を含むように前記少なくとも１つのチャネルの監視を再構成するステップをさらに備えることを特徴とする請求項２４に記載の方法。
【請求項２７】
前記ステータス変更が、しきい値を超える前記基地局以外のセカンダリユーザによる前記少なくとも１つのチャネルの使用を備える場合、前記チャネルを退避するステップをさらに備えることを特徴とする請求項２６に記載の方法。
【請求項２８】
基地局と少なくとも１つの無線送信／受信ユニット（ＷＴＲＵ）との間の通信を、認可免除スペクトルの第１のチャネルから第２のチャネルへ切替えるための方法であって、
通信が切替えられる前記第２のチャネルを識別するチャネル切替え要求を前記基地局において受信するステップと、
チャネル切替えＭＡＣ  ＣＥを含むＭＡＣ  ＰＤＵを前記基地局において作成するステップであって、前記チャネル切替えＭＡＣ  ＣＥは前記チャネル切替え要求に含まれる情報を含むステップと、
前記ＭＡＣ  ＰＤＵを前記基地局から前記少なくとも１つのＷＴＲＵに送信するステップと、
前記少なくとも１つのＷＴＲＵにおいて前記ＭＡＣ  ＰＤＵを受信するステップと、
ＲＲＣ接続再構成メッセージを前記基地局から前記少なくとも１つのＷＴＲＵに送信するステップと、
ＲＲＣメッセージングを使用して前記基地局と前記少なくとも１つのＷＴＲＵとの間の通信を再構成するステップと
を備えることを特徴とする方法。
【請求項２９】
前記ＭＡＣ  ＣＥは、
前記チャネル切替えを受けるキャリアを識別するキャリアインジケータフィールド（ＣＩＦ）と、
前記第２のチャネルを識別するターゲットチャネル番号と、
前記少なくとも１つのＷＴＲＵが前記第２のチャネルで送信することができる最大電力を指定する最大電力フィールドと、
前記チャネル切替えが生じるべきＳＦＮを含むフレームおよび／またはサブフレーム番号と、
前記第２のチャネルの物理セルＩＤを指示する新しいセルＩＤのうちの少なくとも１つを備えることを特徴とする請求項２８に記載の方法。
【請求項３０】
基地局と少なくとも１つの無線送信／受信ユニット（ＷＴＲＵ）との間の通信を、認可免除スペクトルの第１のチャネルから第２のチャネルへ切替えるための方法であって、
通信が切替えられる前記第２のチャネルを識別するチャネル切替え要求を前記基地局において受信するステップと、
前記基地局のＲＲＣレイヤが、前記第２のチャネルの電源オンをトリガーし、チャネル切替えメッセージのＲＲＣ部分を作成して、情報を前記第２のチャネルに関連する前記基地局のＭＡＣレイヤに送信するステップと、
前記ＭＡＣレイヤが、前記チャネル切替えが発生する時間を決定し、前記チャネル切替えが発生する時間の指示を含む前記チャネル切替えメッセージのＭＡＣ部分を作成するステップと、
前記チャネル切替えをリソースブロックのセットに割当て、関連するチャネル切替えＤＣＩフォーマットをＰＤＣＣＨおよびＰＤＳＣＨにマッピングして、前記ＤＣＩを前記少なくとも１つのＷＴＲＵに送信するステップと、
前記ＷＴＲＵのＭＡＣレイヤが、前記チャネル切替えメッセージの前記ＭＡＣセクションを読み取り、前記チャネル切替え時間の時点で前記指定されたパラメータの使用を開始するステップと、
前記ＷＴＲＵのＲＲＣレイヤが、前記チャネル切替えメッセージの前記ＭＡＣセクションを読み取り、それに従って前記第２のチャネルで測定が実行されるように再構成するステップと
を備えることを特徴とする方法。
【発明の詳細な説明】
【技術分野】
【０００１】
本発明は、無線通信技術に関する。
関連出願の相互参照
本出願は、参照により全体として内容を本明細書において援用する、２０１１年１２月２２日に出願された米国特許仮出願第６１／５７９，１４５号明細書の優先権を主張するものである。
【背景技術】
【０００２】
モバイルユーザ数はさらに増大の一途をたどっているため、追加の認可帯域スペクトルがそれらのモバイルユーザをサポートするために必要とされている。しかし、認可帯域スペクトルは、容易に使用可能なものではなく、取得するには非常に高いコストがかかる場合もある。したがって、テレビジョンホワイトスペース（ＴＶＷＳ：ｔｅｌｅｖｉｓｉｏｎ  ｗｈｉｔｅ  ｓｐａｃｅ）、ＬＳＡ（Ｌｉｃｅｎｓｅｄ  Ｓｈａｒｅｄ  Ａｃｃｅｓｓ）帯域、ＩＳＭ帯域、認可免除またはその他の認可不要帯域（ｕｎｌｉｃｅｎｓｅｄ  ｂａｎｄｓ）、およびその他の共有スペクトルのような新たに使用可能なスペクトルにおいて、たとえば、Ｌｏｎｇ−Ｔｅｒｍ  Ｅｖｏｌｕｔｉｏｎ（ＬＴＥ）のような、セルラー無線アクセス技術（ＲＡＴ：ｒａｄｉｏ  ａｃｃｅｓｓ  ｔｅｃｈｎｏｌｏｇｙ）を配備することが極めて望ましい。
【０００３】
ＴＶＷＳまたは認可不要帯域において配備されたＲＡＴの動作は、協調性のない干渉スペクトル使用を軽減するため、および固定の周波数二重動作を必要とすることなくアップリンク（ＵＬ）およびダウンリンク（ＤＬ）動作をサポートするために変更されてもよい。たとえば、ＴＶＷＳにおける使用可能なチャネル間のスペーシングは、現在の位置および付近のプライマリユーザによるＴＶＷＳの使用に応じて異なっていてもよい。さらに、一部の地域では、使用可能なＴＶＷＳチャネルが１つしかなく、そのため単一のＴＶＷＳチャネルで動作して、ＵＬおよびＤＬリソースの両方を提供することが必要になるという結果をもたらすこともある。加えて、認可免除（ＬＥ：ｌｉｃｅｎｓｅｄ  ｅｘｅｍｐｔ）帯域を介する動作は、（認可帯域を介する動作と比較して）それらのチャネルの低い信頼性の影響を受けることもあり、高レベルの干渉、主要な占有者の到来、共存データベースの決定などに起因する所与のチャネルでの動作の頻繁な停止の影響を受けることもある。したがって、スペクトルを動的に監視および／または割り振るための方法、システム、および装置が有益である。
【先行技術文献】
【非特許文献】
【０００４】
【非特許文献１】ＴＳ  ３６．３００，  ｖ１０．１．０，  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｏｖｅｒａｌｌ  ｄｅｓｃｒｉｐｔｉｏｎ；  Ｓｔａｇｅ  ２  ａｎｄ  Ｈａｒｒｉ  Ｈｏｌｍａ  ＆  Ａｎｔｉｉ  Ｔｏｓｋｅｌａ，  ＬＴＥ  ｆｏｒ  ＵＭＴＳ  −  ＯＦＤＭＡ  ａｎｄ  ＳＣ−ＦＤＭＡ  Ｂａｓｅｄ  Ｒａｄｉｏ  Ａｃｃｅｓｓ，  Ｗｉｌｅｙ，  ２００９
【非特許文献２】ＦＣＣ  Ｓｅｃｏｎｄ  Ｒｅｐｏｒｔ  ａｎｄ  Ｏｒｄｅｒ  ａｎｄ  Ｍｅｍｏｒａｎｄｕｍ  Ｏｐｉｎｉｏｎ  ａｎｄ  Ｏｒｄｅｒ，  ＦＣＣ  ０８−２６０，  Ｎｏｖ．  ２００８
【非特許文献３】ＦＣＣ  Ｓｅｃｏｎｄ  Ｍｅｍｏｒａｎｄｕｍ  Ｏｐｉｎｉｏｎ  ａｎｄ  Ｏｒｄｅｒ，  ＦＣＣ  １０−１７４，  Ｓｅｐｔ．  ２０１０
【発明の概要】
【０００５】
１つの実施形態において、可用性についてスペクトルを監視するために基地局において実施される方法は、スペクトル内の候補チャネルのリストを管理エンティティから受信するステップと、使用の候補に関するリスト内の候補チャネルの少なくとも１つを監視するステップとを含む。
【０００６】
１つの実施形態において、スペクトル内の無線通信チャネルを割り振るためのシステムは、スペクトル内の候補チャネルのリストを送信するように構成された共存マネージャと、無線送信／受信ユニット（ＷＴＲＵ）と、共存マネージャおよび無線送信／受信ユニットと通信する基地局とを含み、基地局は、スペクトル内の候補チャネルのリストを管理エンティティから受信して、基地局による使用の候補に関するリスト内の候補チャネルの少なくとも１つを監視するように構成される。
【０００７】
１つの実施形態において、認可免除（Ｌｉｃｅｎｓｅｄ  Ｅｘｅｍｐｔ）スペクトル内のチャネルの基地局による使用を割り振るために基地局内で実施される方法は、スペクトル内の候補チャネルのリストを共存管理エンティティから受信するステップと、使用の候補に関するリスト内の候補チャネルの少なくとも１つを監視するステップと、無線送信／受信ユニット（ＷＴＲＵ）と通信するために候補チャネルの少なくとも１つを使用するステップと、少なくとも１つのチャネルのステータスに変化が発生したときに検出するステップと、少なくとも１つのチのステータスの変化の検出に応答して、少なくとも１つのチャネルが基地局による使用に引き続き使用可能であるかどうかを決定するステップと、少なくとも１つのチャネルが基地局による使用に使用可能ではないと決定される場合、別のチャネルに切替えるステップとを含む。
【０００８】
１つの実施形態において、基地局と少なくとも１つの無線送信／受信ユニット（ＷＴＲＵ）との間の通信を、認可免除スペクトルの第１のチャネルから第２のチャネルへ切替えるための方法は、通信が切替えられる第２のチャネルを識別するチャネル切替え要求を基地局において受信するステップと、チャネル切替えＭＡＣ  ＣＥを含むＭＡＣ  ＰＤＵを基地局において作成するステップであって、チャネル切替えＭＡＣ  ＣＥはチャネル切替え要求に含まれる情報を含むステップと、ＭＡＣ  ＰＤＵを基地局から少なくとも１つのＷＴＲＵに送信するステップと、少なくとも１つのＷＴＲＵにおいてＭＡＣ  ＰＤＵを受信するステップと、ＲＲＣ  Ｃｏｎｎｅｃｔｉｏｎ  Ｒｅｃｏｎｆｉｇｕｒａｔｉｏｎ（ＲＲＣ接続再構成）メッセージを基地局から少なくとも１つのＷＴＲＵに送信するステップと、ＲＲＣメッセージングを使用して基地局と少なくとも１つのＷＴＲＵとの間の通信を再構成するステップとを含む。
【０００９】
１つの実施形態において、基地局と少なくとも１つの無線送信／受信ユニット（ＷＴＲＵ）との間の通信を、認可免除スペクトルの第１のチャネルから第２のチャネルへ切替えるための方法は、通信が切替えられる第２のチャネルを識別するチャネル切替え要求を基地局において受信するステップと、基地局のＲＲＣレイヤが、第２のチャネルの電源オンをトリガーし、チャネル切替えメッセージのＲＲＣ部分を作成して、情報を第２のチャネルに関連する基地局のＭＡＣレイヤに送信するステップと、ＭＡＣレイヤが、チャネル切替えが発生する時間を決定し、チャネル切替えが発生する時間の指示を含むチャネル切替えメッセージのＭＡＣ部分を作成するステップと、チャネル切替えをリソースブロックのセットに割当て、関連するチャネル切替えＤＣＩフォーマットをＰＤＣＣＨおよびＰＤＳＣＨにマッピングして、ＤＣＩを少なくとも１つのＷＴＲＵに送信するステップと、ＷＴＲＵのＭＡＣレイヤが、チャネル切替えメッセージのＭＡＣセクションを読み取り、チャネル切替え時間の時点で指定されたパラメータの使用を開始するステップと、ＷＴＲＵのＲＲＣレイヤが、チャネル切替えメッセージのＭＡＣセクションを読み取り、それに従って第２のチャネルで測定が実行されるように再構成するステップとを含む。
【００１０】
１つの実施形態において、スペクトル割当てのための方法は、基地局ノードのスペクトルアロケータにより、認可免除帯域内の無線通信ネットワークのノードの第１の動作周波数を割り当てるステップと、トリガーイベントに応答して、スペクトルアロケータにより、認可免除帯域内の第２の動作周波数にノードを再割り当てするステップとを含む。
【図面の簡単な説明】
【００１１】
さらに詳細な理解は、添付の図面と併せて例として示した以下の説明から得ることができる。
【図１Ａ】１または複数の開示される実施形態が実施されうる例示的な通信システムのシステム図である。
【図１Ｂ】図１Ａに示される通信システム内で使用されうる例示的な無線送信／受信ユニット（ＷＴＲＵ）のシステム図である。
【図１Ｃ】図１Ａに示される通信システム内で使用されうる例示的な無線アクセスネットワークおよび例示的なコアネットワークのシステム図である。
【図２】ＨｅＮＢを進化型パケットコア（ＥＰＣ：ｅｖｏｌｖｅｄ  ｐａｃｋｅｔ  ｃｏｒｅ）に接続するためのＳ１インターフェイスのセットを有するＨｏｍｅ  ｅＮｏｄｅＢ（ＨｅＮＢ）の論理アーキテクチャを示す図である。
【図３】ＨｅＮＢ  ＧＷを配備されたＥ−ＵＴＲＡＮアーキテクチャを示す図である。
【図４】ＴＶ帯域スペクトル使用を示す図である。
【図５】基地局（ＢＳ）、集中共存マネージャ（ＣＭ：Ｃｏｅｘｉｓｔｅｎｃｅ  Ｍａｎａｇｅｒ）およびＷＴＲＵを備える例示的なシステムアーキテクチャを示す図である。
【図６】基地局ポリシーエンジンを示す図である。
【図７】１つの非限定的な実施形態によるスペクトル割当て初期化を示す図である。
【図８】スペクトルアロケータによる候補チャネル監視手順のセットアップの実施形態を示す図である。
【図９Ａ】異なるトリガーを経由する候補チャネル監視手順の再構成を示す図である。
【図９Ｂ】異なるトリガーを経由する候補チャネル監視手順の再構成を示す図である。
【図１０】アクティブチャネル管理アルゴリズムの実施形態を示す図である。
【図１１】ＭＡＣ制御要素切替えを示す図である。
【図１２】チャネル−切替えＭＡＣ制御要素を示す図である。
【図１３】ＭＡＣレイヤ開始のチャネル変更に関与するイベントの例示的な論理フローを示す図である。
【図１４】チャネル切替えメッセージに続く例示的なアップリンク許可処理を示すタイミング図である。
【図１５】チャネル切替えＤＣＩフォーマット、およびＰＤＳＣＨで割当てが指し示す関連するチャネル切替えメッセージの例示的なフォーマットを示す図である。
【図１６】Ｌ１制御メッセージングを通じて使用可能にされるセル変更に関連するイベントの例示的なシーケンスを示す図である。
【図１７】認可免除キャリアインジケータフィールドを使用するクロスキャリアスケジューリングを示す図である。
【図１８】保留ＨＡＲＱ送信およびＡＣＫ／ＮＡＣＫに関してダウンリンク送信の移行期間中のイベントの例示的なタイムラインを示す図である。
【図１９】セル検索エンジンを有するｅＮＢを示すブロック図である。
【図２０】ｅＮＢに使用可能にされたセル発見、セル監視、およびセル変更の例示的な手順を示す図である。
【発明を実施するための形態】
【００１２】
図１Ａは、１または複数の開示される実施形態が実施されうる例示的な通信システム１００を示す図である。通信システム１００は、音声、データ、ビデオ、メッセージング、ブロードキャストなどのようなコンテンツを、複数の無線ユーザに提供する多重アクセスシステムであってもよい。通信システム１００は、複数の無線ユーザが、無線帯域幅を含むシステムリソースの共用を通じて、そのようなコンテンツにアクセス可能にできるようにすることができる。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などのような、１または複数のチャネルアクセス方法を採用することができる。
【００１３】
図１Ａにおいて示されるように、通信システム１００は、無線送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、およびその他のネットワーク１１２を含むことができるが、開示される実施形態は、任意の数のＷＴＲＵ、基地局、ネットワーク、および／またはネットワーク要素を企図することが理解されるであろう。ＷＴＲＵ１０２ａ、１０２ｂ、１０２ｃ、１０２ｄは各々、無線環境において操作および／または通信するように構成された任意のタイプのデバイスであってもよい。一例として、ＷＴＲＵ１０２ａ、１０２ｂ、１０２ｃ、１０２ｄは、無線信号を送信および／または受信するように構成されてもよく、ユーザ機器（ＵＥ）、移動局、固定または移動加入者ユニット、ページャー、携帯電話、携帯情報端末（ＰＤＡ）、スマートフォン、ラップトップ、ネットブック、パーソナルコンピュータ、無線センサー、家庭用電化製品などを含むことができる。
【００１４】
通信システム１００はまた、基地局１１４ａおよび基地局１１４ｂを含むこともできる。基地局１１４ａ、１１４ｂは各々、コアネットワーク１０６、インターネット１１０、および／またはネットワーク１１２のような１または複数の通信ネットワークへのアクセスを容易にするため、ＷＴＲＵ１０２ａ、１０２ｂ、１０２ｃ、１０２ｄのうちの少なくとも１つと無線でインターフェイスをとるように構成された任意のタイプのデバイスであってもよい。一例として、基地局１１４ａ、１１４ｂは、無線基地局装置（ＢＴＳ）、Ｎｏｄｅ−Ｂ、ｅＮｏｄｅ  Ｂ、Ｈｏｍｅ  Ｎｏｄｅ  Ｂ、Ｈｏｍｅ  ｅＮｏｄｅ  Ｂ、サイトコントローラ、アクセスポイント（ＡＰ）、無線ルータなどであってもよい。基地局１１４ａ、１１４ｂは各々単一の要素として示されるが、基地局１１４ａ、１１４ｂは、任意の数の相互接続された基地局および／またはネットワーク要素を含むことができることが理解されよう。
【００１５】
基地局１１４ａはＲＡＮ１０４の一部であってもよく、ＲＡＮ１０４はまた、基地局コントローラ（ＢＳＣ）、無線ネットワークコントローラ（ＲＮＣ）、リレーノードなどのような、その他の基地局および／またはネットワーク要素（図示せず）を含むこともできる。基地局１１４ａおよび／または基地局１１４ｂは、セル（図示せず）と称されることもある特定の地理的領域内の無線信号を送信および／または受信するように構成されてもよい。セルは、セルセクタにさらに分割されてもよい。たとえば、基地局１１４ａに関連付けられているセルは、３つのセクタに分割されてもよい。したがって、１つの実施形態において、基地局１１４ａは、３つの送受信機、すなわちセルのセクタごとに１つの送受信機を含むことができる。もう１つの実施形態において、基地局１１４ａは、多入力多出力（ＭＩＭＯ）技術を採用することができるので、セルの各セクタに対して複数の送受信機を使用することができる。
【００１６】
基地局１１４ａ、１１４ｂは、エアインターフェイス１１６を介して、ＷＴＲＵ１０２ａ、１０２ｂ、１０２ｃ、１０２ｄのうちの１または複数と通信することができ、エアインターフェイス１１６は（たとえば、無線周波数（ＲＦ）、マイクロ波、赤外線（ＩＲ）、紫外線（ＵＶ）、可視光線など）任意の適切な無線通信リンクであってもよい。エアインターフェイス１１６は、任意の適切な無線アクセス技術（ＲＡＴ）を使用して確立されてもよい。
【００１７】
さらに具体的には、前述のように、通信システム１００は、多元接続システムであってもよく、ＣＤＭＡ、ＴＤＭＡ、ＦＤＭＡ、ＯＦＤＭＡ、ＳＣ−ＦＤＭＡなどのような、１または複数のチャネルアクセス方式を採用することができる。たとえば、ＲＡＮ１０４内の基地局１１４ａおよびＷＴＲＵ１０２ａ、１０２ｂ、１０２ｃは、広帯域ＣＤＭＡ（ＷＣＤＭＡ（登録商標））を使用してエアインターフェイス１１６を確立することができるユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）地上波無線アクセス（ＵＴＲＡ：ＵＭＴＳ  Ｔｅｒｒｅｓｔｒｉａｌ  Ｒａｄｉｏ  Ａｃｃｅｓｓ）のような無線技術を実施することができる。ＷＣＤＭＡは、高速パケットアクセス（ＨＳＰＡ）および／またはＥｖｏｌｖｅｄ  ＨＳＰＡ（ＨＳＰＡ＋）のような通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１８】
もう１つの実施形態において、基地局１１４ａおよびＷＴＲＵ１０２ａ、１０２ｂ、１０２ｃは、Ｌｏｎｇ  Ｔｅｒｍ  Ｅｖｏｌｕｔｉｏｎ（ＬＴＥ）および／またはＬＴＥ−Ａｄｖａｎｄｅｄ（ＬＴＥ−Ａ）を使用してエアインターフェイス１１６を確立することができるＥｖｏｌｖｅｄ  ＵＭＴＳ地上波無線アクセス（Ｅ−ＵＴＲＡ：Ｅｖｏｌｖｅｄ  ＵＭＴＳ  Ｔｅｒｒｅｓｔｒｉａｌ  Ｒａｄｉｏ  Ａｃｃｅｓｓ）のような無線技術を実施することができる。
【００１９】
その他の実施形態において、基地局１１４ａおよびＷＴＲＵ１０２ａ、１０２ｂ、１０２ｃは、ＩＥＥＥ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  １Ｘ、ＣＤＭＡ２００  ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ）などのような無線技術を実施することができる。
【００２０】
図１Ａの基地局１１４ａは、たとえば、無線ルータ、Ｈｏｍｅ  Ｎｏｄｅ  Ｂ、Ｈｏｍｅ  ｅＮｏｄｅ  Ｂ、またはアクセスポイントであってもよく、事業所、家庭、車両、キャンパスなどの場所のような、局在的な領域において無線接続を容易にするために任意の適切なＲＡＴを使用することができる。１つの実施形態において、基地局１１４ｂおよびＷＴＲＵ１０２ｃ、１０２ｄは、無線ローカルエリアネットワーク（ＷＬＡＮ）を確立するためにＩＥＥＥ８０２．１１のような無線技術を実施することができる。もう１つの実施形態において、基地局１１４ｂおよびＷＴＲＵ１０２ｃ、１０２ｄは、無線パーソナルエリアネットワーク（ＷＰＡＮ）を確立するためにＩＥＥＥ８０２．１５のような無線技術を実施することができる。さらにもう１つの実施形態において、基地局１１４ｂおよびＷＴＲＵ１０２ｃ、１０２ｄは、セルラーベースのＲＡＴ（ＷＣＤＭＡ、ＣＤＭＡ２０００、ＧＳＭ、ＬＴＥ、ＬＴＥ−Ａなど）を使用して、ピコセルまたはフェムトセルを確立することができる。図１Ａにおいて示されるように、基地局１１４ｂは、インターネット１１０に直接接続することができる。したがって、基地局１１４ｂが、コアネットワーク１０６を介してインターネット１１０にアクセスする必要はなくてもよい。
【００２１】
ＲＡＮ１０４は、コアネットワーク１０６と通信することができ、コアネットワーク１０６は音声、データ、アプリケーション、および／またはボイスオーバーインターネットプロトコル（ＶｏＩＰ：ｖｏｉｃｅ  ｏｖｅｒ  ｉｎｔｅｒｎｅｔ  ｐｒｏｔｏｃｏｌ）サービスをＷＴＲＵ１０２ａ、１０２ｂ、１０２ｃ、１０２ｄのうちの１または複数に提供するように構成された任意のタイプのネットワークであってもよい。たとえば、コアネットワーク１０６は、コール制御、課金サービス、モバイルロケーションベースのサービス、プリペイドコール、インターネット接続、ビデオ配信などを提供すること、および／またはユーザ認証のような高水準のセキュリティを実行することができる。図１Ａにおいて示されていないが、ＲＡＮ１０４および／またはコアネットワーク１０６が、ＲＡＮ１０４と同じＲＡＴまたは異なるＲＡＴを採用するその他のＲＡＮと直接または間接的に通信できることが理解されよう。たとえば、Ｅ−ＵＴＲＡ無線技術を使用している可能性のあるＲＡＮ１０４に接続されていることに加えて、コアネットワーク１０６はまた、ＧＳＭ無線技術を採用する別のＲＡＮ（図示せず）と通信することもできる。
【００２２】
コアネットワーク１０６はまた、ＰＳＴＮ１０８、インターネット１１０、および／またはその他のネットワーク１１２にアクセスするためのＷＴＲＵ１０２ａ、１０２ｂ、１０２ｃ、１０２ｄのゲートウェイとしての役割を果たすこともできる。ＰＳＴＮ１０８は、従来のアナログ電話回線サービス（ＰＯＴＳ）を提供する回線交換電話ネットワークを含むことができる。インターネット１１０は、ＴＣＰ／ＩＰインターネットプロトコルスイートの伝送制御プロトコル（ＴＣＰ）、ユーザデータグラムプロトコル（ＵＤＰ）、およびインターネットプロトコル（ＩＰ）のような、共通の通信プロトコルを使用する相互接続されたコンピュータネットワークおよびデバイスのグローバルシステムを含むことができる。ネットワーク１１２は、その他のサービスプロバイダによって所有および／または運用される有線または無線の通信ネットワークを含むことができる。たとえば、ネットワーク１１２は、ＲＡＮ１０４と同じＲＡＴまたは異なるＲＡＴを採用することができる１または複数のＲＡＮに接続された別のコアネットワークを含むことができる。
【００２３】
通信システム１００内のＷＴＲＵ１０２ａ、１０２ｂ、１０２ｃ、１０２ｄの一部または全部は、マルチモード機能を含むことができる、すなわち、ＷＴＲＵ１０２ａ、１０２ｂ、１０２ｃ、１０２ｄはさまざまな無線リンクを介してさまざまな無線ネットワークと通信するための複数の送受信機を含むことができる。たとえば、図１Ａに示されるＷＴＲＵ１０２ｃは、セルラーベースの無線技術を採用することができる基地局１１４ａ、およびＩＥＥＥ８０２無線技術を採用することができる基地局１１４ｂと通信するように構成されてもよい。
【００２４】
図１Ｂは、例示的なＷＴＲＵ１０２を示すシステム図である。図１Ｂにおいて示されるように、ＷＴＲＵ１０２は、プロセッサ１１８、送受信機１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、およびその他の周辺機器１３８を含むことができる。ＷＴＲＵ１０２が、前述の要素の任意の部分組合せを含むことができ、引き続き実施形態に整合することが理解されよう。
【００２５】
プロセッサ１１８は、汎用プロセッサ、特殊用途プロセッサ、標準的なプロセッサ、デジタル信号プロセッサ（ＤＳＰ）、複数のマイクロプロセッサ、ＤＳＰコアと関連する１または複数のマイクロプロセッサ、コントローラ、マイクロコントローラ、特殊用途向け集積回路（ＡＳＩＣ）、フィールドプログラマブルゲートアレイ（ＦＰＧＡ）回路、任意の他のタイプの集積回路（ＩＣ）、状態機械などであってもよい。プロセッサ１１８は、信号符号化、データ処理、電力制御、入出力処理、および／またはＷＴＲＵ１０２が無線環境で操作できるようにする任意の他の機能を実行することができる。プロセッサ１１８は、送信／受信要素１２２に結合されうる送受信機１２０に結合されてもよい。図１Ｂはプロセッサ１１８および送受信機１２０を別個のコンポーネントとして示すが、プロセッサ１１８および送受信機１２０が電子パッケージまたはチップに一緒に統合されてもよいことが理解されよう。
【００２６】
送信／受信要素１２２は、エアインターフェイス１１６を介して基地局（たとえば、基地局１１４ａ）に信号を送信するか、または基地局から信号を受信するように構成されてもよい。たとえば、１つの実施形態において、送信／受信要素１２２は、ＲＦ信号を送信および／または受信するように構成されたアンテナであってもよい。もう１つの実施形態において、送信／受信要素１２２は、たとえば、ＩＲ、ＵＶ、または可視光信号を送信および／または受信するように構成されたエミッタ／検出器であってもよい。さらにもう１つの実施形態において、送信／受信要素１２２は、ＲＦ信号および光信号を送信および受信するように構成されてもよい。送信／受信要素１２２は、無線信号の任意の組合せを送信および／または受信するように構成されてもよいことが理解されよう。
【００２７】
加えて、図１Ｂにおいて、送信／受信要素１２２は単一の要素として示されるが、ＷＴＲＵ１０２は任意の数の送信／受信要素１２２を含むことができる。さらに具体的には、ＷＴＲＵ１０２は、ＭＩＭＯ技術を採用することができる。したがって、１つの実施形態において、ＷＴＲＵ１０２は、エアインターフェイス１１６を介して無線信号を送信および受信するために２またはそれ以上の送信／受信要素１２２（たとえば、複数のアンテナ）を含むことができる。
【００２８】
送受信機１２０は、送信／受信要素１２２によって送信されるべき信号を変調し、送信／受信要素１２２によって受信される信号を復調するように構成されてもよい。前述のように、ＷＴＲＵ１０２は、マルチモード機能を有することができる。したがって、送受信機１２０は、ＷＴＲＵ１０２が、たとえばＵＴＲＡおよびＩＥＥＥ８０２．１１のような複数のＲＡＴを介して通信できるようにするための複数の送受信機を含むことができる。
【００２９】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）表示ユニット、または有機発光ダイオード（ＯＬＥＤ）表示ユニット）に結合されてもよく、これらの機器からユーザ入力データを受信することができる。プロセッサ１１８はまた、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２のような、任意のタイプの適切なメモリから情報にアクセスし、適切なメモリにデータを格納することができる。非リムーバブルメモリ１３０は、ランダムアクセスメモリ（ＲＡＭ）、読み取り専用メモリ（ＲＯＭ）、ハードディスク、または任意のタイプのメモリストレージデバイスを含むことができる。リムーバブルメモリ１３２は、加入者識別モジュール（ＳＩＭ）カード、メモリスティック、セキュアデジタル（ＳＤ）メモリカードなどを含むことができる。その他の実施形態において、プロセッサ１１８は、サーバ上、またはホームコンピュータ（図示せず）上のような、ＷＴＲＵ１０２に物理的に位置していないメモリから情報にアクセスし、そのようなメモリにデータを格納することができる。
【００３０】
プロセッサ１１８は、電源１３４から電力を受信することができ、ＷＴＲＵ１０２内のその他のコンポーネントへの電力の配電および／または制御を行うように構成されてもよい。電源１３４は、ＷＴＲＵ１０２に電力を供給するための任意の適切なデバイスであってもよい。たとえば、電源１３４は、１または複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００３１】
プロセッサ１１８はまた、ＧＰＳチップセット１３６に結合されてもよく、ＧＰＳチップセット１３６は、ＷＴＲＵ１０２の現在の場所に関するロケーション情報（たとえば、緯度および経度）を提供するように構成されてもよい。ＧＰＳチップセット１３６からの情報に加えて、またはその情報の代わりに、ＷＴＲＵ１０２は、基地局（たとえば、基地局１１４ａ、１１４ｂ）からエアインターフェイス１１６を介してロケーション情報を受信すること、および／または２またはそれ以降の近隣の基地局から受信されている信号のタイミングに基づいてその場所を決定することができる。ＷＴＲＵ１０２が、任意の適切な場所決定の方法を用いてロケーション情報を取得することができ、引き続き実施形態に整合することが理解されよう。
【００３２】
プロセッサ１１８は、その他の周辺機器１３８にさらに結合されてもよく、周辺機器１３８は、追加の特徴、機能、および／または有線もしくは無線接続を提供する１または複数のソフトウェアおよび／またはハードウェアモジュールを含むことができる。たとえば、周辺機器１３８は、加速度計、ｅ−ｃｏｍｐａｓｓ、衛星送受信機、デジタルカメラ（写真またはビデオ用）、ユニバーサルシリアルバス（ＵＳＢ）ポート、振動装置、テレビ送受信機、ハンズフリーヘッドセット、ブルートゥース（登録商標）モジュール、周波数変調（ＦＭ）無線装置、デジタル音楽プレイヤー、メディアプレイヤー、ビデオゲームプレイヤーモジュール、インターネットブラウザなどを含むことができる。
【００３３】
図１Ｃは、実施形態によるＲＡＮ１０４およびコアネットワーク１０６を示すシステム図である。前述のように、ＲＡＮ１０４は、Ｅ−ＵＴＲＡ無線技術を採用して、エアインターフェイス１１６を介してＷＴＲＵ１０２ａ、１０２ｂ、１０２ｃと通信することができる。ＲＡＮ１０４はまた、コアネットワーク１０６と通信することもできる。
【００３４】
ＲＡＮ１０４はｅＮｏｄｅ−Ｂ１４０ａ、１４０ｂ、１４０ｃを含むことができるが、引き続き実施形態に整合しながら、ＲＡＮ１０４は任意の数のｅＮｏｄｅーＢを含むことができることが理解されよう。ｅＮｏｄｅ−Ｂ１４０ａ、１４０ｂ、１４０ｃは各々、エアインターフェイス１１６を介してＷＴＲＵ１０２ａ、１０２ｂ、１０２ｃと通信するための１または複数の送受信機を含むことができる。１つの実施形態において、ｅＮｏｄｅ−Ｂ１４０ａ、１４０ｂ、１４０ｃはＭＩＭＯ技術を実施することができる。したがって、たとえば、ｅＮｏｄｅ−Ｂ１４０ａは、複数のアンテナを使用して、ＷＴＲＵ１０２ａに無線信号を送信し、ＷＴＲＵ１０２ａから無線信号を受信することができる。
【００３５】
ｅＮｏｄｅ−Ｂ１４０ａ、１４０ｂ、１４０ｃは各々、特定のセル（図示せず）に関連付けられてもよく、無線リソース管理の決定、ハンドオーバーの決定、アップリンクおよび／またはダウンリンクにおけるユーザのスケジューリングなどを処理するように構成されてもよい。図１Ｃに示すように、ｅＮｏｄｅ−Ｂ１４０ａ、１４０ｂ、１４０ｃは、Ｘ２インターフェイスを介して相互に通信することができる。
【００３６】
図１Ｃに示されるコアネットワーク１０６は、モビリティ管理ゲートウェイ（ＭＭＥ）１４２、サービングゲートウェイ１４４、およびパケットデータネットワーク（ＰＤＮ）ゲートウェイ１４６を含むことができる。前述の要素は各々、コアネットワーク１０６の一部として示されているが、それらの要素のうちのいずれかがコアネットワークオペレータ以外のエンティティによって所有および／または運用されてもよいことが理解されよう。
【００３７】
ＭＭＥ１４２は、Ｓ１インターフェイスを介してＲＡＮ１０４内のｅＮｏｄｅ−Ｂ１４０ａ、１４０ｂ、１４０ｃの各々に接続されてもよく、制御ノードとしての役割を果たすことができる。たとえば、ＭＭＥ１４２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの初期接続中に特定のサービングゲートウェイを選択することなどに責任を負うことができる。ＭＭＥ１４２はまた、ＲＡＮ１０４と、ＧＳＭまたはＷＣＤＭＡのような他の無線技術を採用するその他のＲＡＮ（図示せず）とを切替えるための制御プレーン機能を提供することもできる。
【００３８】
サービングゲートウェイ１４４は、Ｓ１インターフェイスを介してＲＡＮ１０４内のｅＮｏｄｅ−Ｂ１４０ａ、１４０ｂ、１４０ｃの各々に接続されてもよい。サービングゲートウェイ１４４は一般に、ユーザデータパケットを、ＷＴＲＵ１０２ａ、１０２ｂ、１０２ｃとの間でルーティングおよび転送することができる。サービングゲートウェイ１４４はまた、ｅＮｏｄｅ−Ｂ間ハンドオーバー中にユーザプレーンを固定すること、ダウンリンクデータがＷＴＲＵ１０２ａ、１０２ｂ、１０２ｃに使用可能な場合にページングをトリガーすること、ＷＴＲＵ１０２ａ、１０２ｂ、１０２ｃのコンテキストを管理して格納することなどのようなその他の機能を実行することもできる。
【００３９】
サービングゲートウェイ１４４はまた、ＰＤＮゲートウェイ１４６に接続されてもよく、ＰＤＮゲートウェイ１４６は、インターネット１１０のようなパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応のデバイスとの間の通信を容易にすることができる。
【００４０】
コアネットワーク１０６は、その他のネットワークとの通信を容易にすることができる。たとえば、コアネットワーク１０６は、ＰＳＴＮ１０８のような回線交換ネットワークへのアクセスをＷＴＲＵ１０２ａ、１０２ｂ、１０２ｃに提供して、ＷＴＲＵ１０２ａ、１０２ｂ、１０２ｃと従来の地上通信線通信デバイスとの間の通信を容易にすることができる。たとえば、コアネットワーク１０６は、コアネットワーク１０６とＰＳＴＮ１０８との間のインターフェイスとしての役割を果たすＩＰゲートウェイ（たとえば、ＩＰマルチメディアサブシステム（ＩＭＳ）サーバ）を含むことができるか、またはＩＰゲートウェイと通信することができる。加えて、コアネットワーク１０６は、その他のサービスプロバイダによって所有および／または運用される他の有線または無線ネットワークを含むことができるネットワーク１１２へのアクセスをＷＴＲＵ１０２ａ、１０２ｂ、１０２ｃに提供することができる。
【００４１】
本明細書において説明されるシステムおよび方法は、一般に、無線通信ネットワークで動作しているノードの動作の周波数を動的に割り当て／再割り当てするために使用されうるスペクトルアロケータ（ＳＡ：Ｓｐｅｃｔｒｕｍ  Ａｌｌｏｃａｔｏｒ）の作成に関連する。例示的なシステムアーキテクチャ、ならびに認可および／または認可免除（ＬＥ）帯域で動作している無線基地局ノードにおいてＳＡ機能を実施するために使用されうる例示的な手順は、後段においてさらに詳細に説明される。
【００４２】
チャネル可用性および／または品質の時間的な変動は、ネットワークノードの特別な追加および／または除去によって発生する可能性がある。たとえば一方の基地局と、もう一方のユーザ機器（ＵＥ）との間で通信が行われている周波数は、ネットワークトポロジーの変化に適合するように動的に変更される必要があることがある。認可帯域の代わりに、または認可帯域に加えて、認可免除（ＬＥ）帯域が使用される配備については、スペクトルを共有している可能性のあるプライマリユーザおよび／またはその他のセカンダリユーザと共存する必要がある。ローカライズされたチャネル可用性および／または品質の変化に応答して基地局ノードの動作の周波数の動的な割り当て／再割り当てを容易にするため、スペクトルアロケータ（ＳＡ）機能が基地局ノードにおいて使用されてもよい。
【００４３】
後段においてさらに詳細に説明されるように、ＬＥ帯域においてＬＴＥ動作を可能にするため、無線リソース管理（ＲＲＭ：ｒａｄｉｏ  ｒｅｓｏｕｒｃｅ  ｍａｎａｇｅｍｅｎｔ）システムが、共存マネージャ（Ｃｏｅｘｉｓｔｅｎｃｅ  Ｍａｎａｇｅｒ）、ポリシーエンジン（Ｐｏｌｉｃｙ  Ｅｎｇｉｎｅ）、および検出ツールボックス（Ｓｅｎｓｉｎｇ  Ｔｏｏｌｂｏｘ）のような、ＲＲＭに外部のモジュールと通信できるようにするインターフェイスを含むように増強されてもよい。ＲＲＭの増強はまた、スペクトル割当て機能の追加を含む。
【００４４】
動的リソース割当てへのもう１つの手法では、エスケープチャネルの概念を使用し、複数のＬＥ帯域が使用可能である環境においてＬＥ帯域が干渉軽減のために使用される。したがって、さらに後段において提供されるのは、集中共存マネージャ（ＣＭ）エンティティに必ずしも依存しないシステムおよび方法である。そのようなシステムにおいて、ＨｅＮＢは、ローカル検知／測定レポートと組み合わされたテレビジョンホワイトスペース（ＴＶＷＳ）データベースのクエリに基づいてチャネル割当ての決定を行うことができる。
【００４５】
また、後段においてさらに詳細に説明されるのは、候補チャネル監視手順であり、ここで基地局は共存マネージャと対話し、少なくとも１つの候補チャネルを選択して、チャネル上のセカンダリユーザの使用またはプライマリユーザの使用を検出して決定するための周波数間測定を開始するように認知−検知（ｃｏｇｎｉｔｉｖｅ−ｓｅｎｓｉｎｇ）対応のＷＴＲＵを構成する。ＷＴＲＵは、新しいＲＲＣシグナリングを通じて、プライマリおよびセカンダリの使用検出イベントを基地局にレポートする。
【００４６】
また、後段においてさらに詳細に説明されるのは、認知検知、ならびにその他のＲＡＴベースの測定を介して割り振られたチャネルの使用を監視するためのアクティブチャネル監視手順である。手順は、アクティブなチャネルの可用性および品質を評価するためにＲＡＴベースの測定レポートおよび検知を使用するアルゴリズムを含む。また、説明されるのは、ｅＮＢおよびＷＴＲＵにおけるチャネル変更、またはｅＮＢおよびＷＴＲＵにおける測定および検知の再構成をトリガーすることができるイベントの例示的なセットである。
【００４７】
認可およびＬＥセルのキャリアアグリゲーションを採用するシステムの認可免除帯域における高速でシームレスなチャネル切替えを可能にするための例示的な方法もまた、後段において詳細に説明される。また、説明されるのは、所与のセルで動作するように構成された一部またはすべてのＷＴＲＵに通常信号伝達されるＭＡＣ（メディアアクセス制御：Ｍｅｄｉｕｍ  Ａｃｃｅｓｓ  Ｃｏｎｔｒｏｌ）  ＣＥ（制御エンティティ：Ｃｏｎｔｒｏｌ  Ｅｎｔｉｔｙ）を使用する事前構成済みのセルへのセル切替えである。後段において説明されるシステムおよび方法の態様は、測定がＷＴＲＵによって実行されないＷＴＲＵおよびｅＮＢにおける事前構成済みのセルの開発であり、ｅＮＢが通常（共存の理由から）事前構成済みのセルを介して動作しないことである。
【００４８】
さらに、たとえば、１）グループベースのチャネル切替えＭＡＣ制御要素、２）Ｌ１制御シグナリングベースのセル変更メカニズム、および３）セル変更を可能にするためのクロスキャリアスケジューリングの使用、のような、新しいＭＡＣ  ＣＥのシグナリングの代替が説明される。
【００４９】
図２は、ＨｅＮＢ２０１を進化型パケットコア（ＥＰＣ）２０３に接続するためのＳ１インターフェイス２０５のセットを有するＨｏｍｅ  ｅＮｏｄｅＢ（ＨｅＮＢ）２０１の論理アーキテクチャを示す。図２に示される構成および認証エンティティは、ＨｅＮＢおよびＨＮＢに共通であってもよい。Ｅ−ＵＴＲＡＮアーキテクチャは、Ｈｏｍｅ  ｅＮＢゲートウェイ（ＨｅＮＢ  ＧＷ）２０７を配備して、ＨｅＮＢ２０１とＥＰＣ２０３との間のＳ１インターフェイスが多数のＨｅＮＢをサポートするように拡大できるようにすることができる。ＨｅＮＢ  ＧＷ２０７は、Ｃ−Ｐｌａｎｅ、特にＳ１−ＭＭＥインターフェイス２０５ａのコンセントレータとしての役割を果たす。（図２に示されるように）ＨｅＮＢ２０１からのＳ１−Ｕインターフェイス２０５ｂは、ＨｅＮＢ  ＧＷ２０７において終端してもよいか、またはＨｅＮＢ２０１とＳ−ＧＷ（またはＳｅＧＷ）２０９との間の直接論理Ｕ−Ｐｌａｎｅ接続であってもよい。Ｓ１インターフェイス２０５は、（１）ＨｅＮＢ  ＧＷ２０７とコアネットワーク２０３の間、（２）ＨｅＮＢ２０１とＨｅＮＢ  ＧＷ２０７の間、（３）ＨｅＮＢ２０１とコアネットワーク２０３の間、および（４）ｅＮＢとコアネットワークの間、のインターフェイスとして定義される。
【００５０】
ＨｅＮＢ  ＧＷ２０７は、ＭＭＥ２０８にとってＨｅＮＢとして現れる。ＨｅＮＢ  ＧＷは、ＨｅＮＢ２０１にとってＭＭＥとして現れる。ＨｅＮＢ２０１とＥＰＣ２０３との間のＳ１インターフェイス２０５は、ＨｅＮＢがＨｅＮＢ  ＧＷ２０７を介してＥＰＣに接続されているかどうかにかかわらず同じである。ＨｅＮＢ  ＧＷ２０７は、ＨｅＮＢ  ＧＷによりサービスを提供されるセルへのインバウンドおよびアウトバウンドのモビリティが必ずしもＭＭＥ間ハンドオーバーを必要としないような方法で、ＥＰＣ２０３に接続することができる。１つのＨｅＮＢは、１つのセルのみにサービスを提供する。ＨｅＮＢによってサポートされる機能は、（ＮＮＳＦの可能性を除いて）ｅＮＢによってサポートされる機能と同じであってもよく、ＨｅＮＢとＥＰＣとの間で実行される手順は、ｅＮＢとＥＰＣとの間で実行される手順と同じであってもよい。図３は、ＨｅＮＢ  ＧＷを配備されたＥ−ＵＴＲＡＮアーキテクチャを示す。
【００５１】
無線リソース管理（ＲＲＭ）の主な役割は、使用可能な無線リソースの効率的な使用を保証すること、およびＥ−ＵＴＲＡＮが接続されているユーザのＱｏＳ要件を満たすサービスを提供できるようにするメカニズムを提供することである。主なＲＲＭ機能は、各々が参照により全体として援用される出版物（たとえば、非特許文献１）に示される。
【００５２】
ＴＶホワイトスペース（ＴＶＷＳ）
アナログＴＶ帯域は、超短波（ＶＨＦ：Ｖｅｒｙ  Ｈｉｇｈ  Ｆｒｅｑｕｅｎｃｙ）帯域、および極超短波（ＵＨＦ：Ｕｌｔｒａ  Ｈｉｇｈ  Ｆｒｅｑｕｅｎｃｙ）帯域を含む。ＶＨＦは、５４ＭＨｚから８８ＭＨｚ（７２ＭＨｚから７６ＭＨｚを除く）で動作する低ＶＨＦ帯域、および１７４ＭＨｚから２１６ＭＨｚで動作する高ＶＨＦ帯域から成る。ＵＨＦ帯域は、４７０ＭＨｚから６９８ＭＨｚで動作する低ＵＨＦ帯域、および６９８ＭＨｚから８０６ＭＨｚで動作する高ＵＨＦ帯域から成る。
【００５３】
ＴＶ帯域内では、各ＴＶチャネルは６ＭＨｚの帯域幅を有する。チャネル２から６は低ＶＨＦ帯域にあり、チャネル７から１３は高ＶＨＦ帯域にあり、チャネル１４〜５１は低ＵＨＦ帯域にあり、チャネル５２から６９は高ＵＨＦ帯域にある。
【００５４】
米国において、米国連邦通信委員会（ＦＣＣ：Ｆｅｄｅｒａｌ  Ｃｏｍｍｕｎｉｃａｔｉｏｎｓ  Ｃｏｍｍｉｓｓｉｏｎ）は、アナログＴＶ放送をデジタルＴＶ放送に置き換える最終期限として２００９年６月１２日を設定した。デジタルＴＶチャネル定義は、アナログＴＶチャネルと同じである。デジタルＴＶ帯域は、アナログＴＶチャネル２から５１（３７を除く）を使用し、一方アナログＴＶチャネル５２から６９は、新しい非ブロードキャストのユーザに使用されることになる。
【００５５】
ブロードキャストサービスに割り振られているがローカルには使用されない周波数は、ホワイトスペース（ＷＳ）と称される。ＴＶＷＳは、ＴＶチャネル２から５１（３７を除く）を示す。ＴＶ信号に加えて、ＴＶ帯域で送信されるその他の認可信号がある。参照により組み入れられている文献（非特許文献２）は、ＴＶ帯域で送信されるその他の認可信号に関する追加の詳細を含む。図４は、ＴＶ帯域スペクトルのＬＥ使用割当てを示す図である。特に、チャネル３７は、電波天文学および無線医用テレメトリサービス（ＷＭＴＳ：Ｗｉｒｅｌｅｓｓ  Ｍｅｄｉｃａｌ  Ｔｅｌｅｍｅｔｒｙ  Ｓｅｒｖｉｃｅ）用に確保されており、後者は７から４６の任意の空ＴＶチャネルで動作することができる。Ｐｒｉｖａｔｅ  Ｌａｎｄ  Ｍｏｂｉｌｅ  Ｒａｄｉｏ  Ｓｙｓｔｅｍ（ＰＬＭＲＳ）では、特定の大都市圏においてチャネル１４から２０を使用することができる。リモート制御デバイスは、チャネル３７を除いて、チャネル４より上の任意のチャネルを使用することができる。ＦＭチャネル２００の始動周波数は８７．９ＭＨｚであり、ＴＶチャネル６と部分的に重複している。無線マイクロフォンは、２００ｋＨｚの帯域幅で、チャネル２から５１を使用することができる。ＦＣＣルールによれば、無線マイクロフォンの使用は、２つの事前規定済みのチャネルに制限されているので、その他のチャネルでの動作には予備登録が必要である。このＦＣＣルールに関する追加の詳細は、参照により本明細書に組み込まれている非特許文献３に見出されうる。
【００５６】
さらに、ＦＣＣでは、認可免除の無線送信に対して生じる干渉が最小限である限り、認可不要の無線送信機が、チャネル３、４、および３７を除くＴＶＷＳで動作することを許容している。したがって、認可不要無線送信機の動作は、いくつかの制約を満たす必要がある。
【００５７】
固定ＴＶＢＤ（Ｆｉｘｅｄ  ＴＶＢＤ）、モードＩポータブル（またはパーソナル）ＴＶＢＤ（Ｍｏｄｅ  Ｉ  ｐｏｒｔａｂｌｅ（またはｐｅｒｓｏｎａｌ）ＴＶＢＤ）、およびモードＩＩポータブル（またはパーソナル）ＴＶＢＤ（Ｍｏｄｅ  ＩＩ  ｐｏｒｔａｂｌｅ（またはｐｅｒｓｏｎａｌ）ＴＶＢＤ）という、３種類の認可不要ＴＶ帯域デバイス（ＴＶＢＤ）がある。固定ＴＶＢＤおよびモードＩＩポータブルＴＶＢＤはいずれも、地理的位置／データベースアクセス機能を有する必要があり、ＴＶ帯域データベースに登録する必要がある。ＴＶ帯域データベースへのアクセスにより、ＴＶＢＤは、ＴＶ帯域で送信されるデジタルＴＶ信号および認可信号との干渉を回避するために、許容されるＴＶチャネルにクエリを行うことができる。スペクトル検出は、デジタルＴＶ信号および認可信号にごくわずかな干渉しか生じないことを保証するためのＴＶＢＤの追加の特徴とみなされる。さらに、検知のみのＴＶＢＤは、そのＴＶ帯域データベースへのアクセスが限定される場合に、ＴＶＷＳで動作することを許容される。
【００５８】
固定ＴＶＢＤは、チャネル３、４、および３７を除く、チャネル２から５１で動作することができるが、ＴＶサービスによって使用されるチャネルと同じまたは最初の隣接チャネルでは動作することができない。固定ＴＶＢＤの最大送信電力は、１Ｗであり、高くとも６ｄＢｉのアンテナゲインを伴う。したがって、最大実効等方向放射電力（ＥＩＲＰ：Ｅｆｆｅｃｔｉｖｅ  Ｉｓｏｔｒｏｐｉｃ  Ｒａｄｉａｔｅｄ  Ｐｏｗｅｒ）は４Ｗである。ポータブルＴＶＢＤは、チャネル３７を除く、チャネル２１から５１で動作することができるが、ＴＶサービスによって使用されるチャネルと同じチャネルでは動作することができない。ポータブルＴＶＢＤの最大送信電力は、ＴＶサービスによって使用されるチャネルとの最初の隣接チャネル上である場合、１００ｍＷまたは４０ｍＷである。さらに、ＴＶＢＤデバイスは検知のみのデバイスであるため、その送信電力は５０ｍＷを超えることはできない。すべてのＴＶＢＤは、厳密な帯域外放射要件を有する。固定ＴＶＢＤのアンテナ（屋外）高さは、３０メートル未満でなければならないが、ポータブルＴＶＢＤのアンテナ高さには制限はない。
【００５９】
動作の周波数および基地局ノードの位置の慎重な選択は、無線通信ネットワークを配備する際に重要である。多くの場合、セル間干渉の影響を最小化しながら、十分なカバレッジおよび容量を提供する最適な構成を決定するために、広範にわたるネットワークプラニングが必要とされる。決定されると、ＢＳは、固定の周波数割当てを使用して固定された位置において動作する。ＬＴＥおよびＨＳＰＡを使用するセルラー基地局は、固定の周波数割当てを介して動作し、それらの動作周波数を動的に変更することはない。
【００６０】
ＴＶＷＳのような認可免除（ＬＥ）帯域を使用するネットワークの場合、セカンダリユーザがプライマリユーザおよび／またはその他のセカンダリユーザと共存する必要がある。ＴＶＷＳまたは認可免除セルラーシステムは、セカンダリユーザからの干渉に対応するため、またはプライマリユーザの存在下で直ちに退避するために、極めて周波数に機敏である必要がある。時間によって異なる可能性のある、セカンダリユーザの存在はまた、チャネル可用性および／または品質の一時的な変動をもたらすことになる。したがって、そのような配備に使用可能なスペクトルの最適な使用（または少なくともほぼ最適な使用）を容易にするため、局所的なチャネル可用性および／または品質の変化に応答して基地局ノードの動作の周波数を動的に割り当て／再割り当てすることができる堅固なメカニズムが望ましい。
【００６１】
後段においてさらに詳細に説明されるのは、基地局が、ＴＶＷＳのような認可免除のスペクトルにおいてセルを動的に割当て、再構成するためのシステムおよび方法である。システムおよび方法は、たとえば、候補チャネルの監視、アクティブなチャネルの監視、およびシームレスなチャネル変更を含む。候補チャネルの監視に関して、この技法は、基地局の初期化時、および再構成をトリガーする特定のイベント後に生じることができ、ここで基地局は共存マネージャに登録して、特定のＬＥ帯域に関連するチャネルリストおよび使用情報を共存マネージャから取り出す。受信した情報およびオペレータポリシーに基づいて、基地局は、候補チャネル監視手順（後段においてさらに詳細に説明される）を開始する。要約すると、基地局が共存マネージャと対話する候補チャネル監視手順は、候補チャネルを選択して、セカンダリユーザの使用および／またはプライマリユーザの使用を検出して決定するための周波数間測定を開始するように認知−検知対応のＷＴＲＵを構成する。ＷＴＲＵは、新しいＲＲＣシグナリングを通じて、プライマリおよびセカンダリの使用検出イベントを基地局にレポートする。この手順は、測定／検知構成を監視されるチャネルタイプ（複数可）に適合させるさまざまなアルゴリズムの定義を含み、候補チャネルのランク付けおよび選択に使用されてもよい。また、後段において説明されるのは、共存マネージャから受信される測定イベントまたは新しいチャネル使用情報に基づいて候補チャネル監視を再構成するための手順である。
【００６２】
アクティブチャネル監視手順は、認知検知、ならびにその他のＲＡＴベースの測定を介して割り振られたチャネルの使用を監視するために使用されてもよい。アクティブチャネル監視は、所与のチャネルでの動作が続行されるべきかどうかを決定するために使用されてもよい。手順は、アクティブなチャネルの可用性および品質を評価するために検知およびＲＡＴベースの測定レポートを使用するさまざまなアルゴリズムの定義を含む。ｅＮＢおよびＷＴＲＵにおけるチャネル変更、またはｅＮＢおよびＷＴＲＵにおける測定および検知の再構成をトリガーすることができる例示的なイベントもまた、後段において示される。
【００６３】
シームレスなチャネル変更の方法は、認可およびＬＥセルのキャリアアグリゲーションを採用するシステムの認可免除帯域における高速でシームレスなチャネル切替えを可能にする。これらの解決策は、ＬＴＥ−Ａのコンテキストで本明細書において説明されるが、これらはまた、認可免除帯域または認可共用アクセス環境、または実際に、スペクトルがさまざまなオペレータにより共用されうる任意のネットワークにおけるＤＣ−ＨＳＰＡ動作のような、その他の無線技術にも適用可能である。新しいＭＡＣ  ＣＥを使用するシームレスなチャネル変更は、所与のセルで動作するように構成されたすべてのＷＴＲＵに対し、セルが新しいチャネルで、または言い換えれば、新しい動作周波数で近い将来動作を開始することを指示する。セルのすべての他のパラメータには変更はない。セルでの動作の中断は最小にとどめられる、つまりＷＴＲＵは、ＭＡＣをリセットすることも、切替え時間でそのＨＡＲＱバッファをフラッシュすることもない。ｅＮＢは、その所与のセルで動作するすべてのＷＴＲＵに、所与の時間に新しい周波数に移行するように命令することができる。ｅＮＢは、以前の動作周波数での送信を停止する必要がある。このシームレスはチャネル変更を通じて、ｅＮＢはまた、その所与のセルで動作するすべてのＷＴＲＵに、新しい周波数で測定および検知を再構成するように命令することができる。
【００６４】
一部の実施形態において、ＭＡＣ  ＣＥを使用する事前構成済みのセルへのセル切替えは、通常、一部または全部のＷＴＲＵに信号伝達される。１つの態様は、ＷＴＲＵ、およびＷＴＲＵによって測定が実行されないｅＮＢにおける事前構成済みのセルの開発である。もう１つの態様は、ｅＮＢが通常、（共存の理由で）事前構成済みのセルを介して動作しないことである。構成済みであるが非アクティブ化されたセルの場合と比較すると、事前構成済みのセルの存在は、ＰＨＹレイヤに透過的である。そのようなものとして、事前構成済みのセルは、ＤＣＩフォーマットのキャリアインジケータフィールド（ＣＩＦ）によって定義されるようなチャネルセットの一部ではない。したがって、事前構成済みのセルは、また、ＲＲＣレイヤにおいて固有のＣｅｌｌＩｎｄｅｘを割り当てられていない。新しいＭＡＣ  ＣＥに対するその他のシグナリングの代替は、たとえば、１）グループベースのチャネル切替えＭＡＣ制御要素、２）Ｌ１制御シグナリングベースのセル変更メカニズム、および３）セル変更を可能にするためのクロスキャリアスケジューリングの使用、を含むことができる。
【００６５】
図５は、基地局（ＢＳ）５０１、集中共存マネージャ（ＣＭ）５０３、およびＷＴＲＵ５０５を備える例示的なシステムアーキテクチャを示す。共存管理システムは、ＢＳ５０１にチャネルリストおよび使用情報ならびにオペレータポリシー（信号トレース５０７によって集合的に表される）を提供するが、スペクトル割当ての決定を行うことはないので、情報ベースである。
【００６６】
各ＢＳは、ＣＭ５０３およびローカル測定によって提供される情報５０７に基づいてスペクトル割当ての決定を行うことに責任を負う、スペクトルアロケータ（ＳＡ）５０９を含む。（信号トレース５１１によって表される）割当ての決定はＳＡ５０９によって行われ、（信号トレース５１３によって表される）使用状況メトリクスはＣＭへのフィードバックとして提供されて、最新の使用状況情報がＣＭ５０３によって保持され、ネットワーク内のその他のＢＳと共用されうるようになっている。ＣＭ５０３は、たとえばＢＳ５１７、５１９など他のＢＳによってＣＭ５０３に提供される割当ての決定および／またはその他の情報の変更に応答して、提供されている情報への更新をＢＳ５０１に事前対処的に提供する能力を、オプションで含むことができる。
【００６７】
ＢＳ５０１の制御の下で動作しているＷＴＲＵ（たとえば、ＷＴＲＵ５０５）は、他のユーザによる二次使用を監視および／またはプライマリユーザの到着を検出するために実行される新しい測定および新しい周波数間測定で構成される（そのような構成命令は信号トレース５２１によって表される）。ＷＴＲＵ５０５は、そのようなローカル測定を、候補チャネル認知検知レポート５２５でＢＳ５０１に返す。ＷＴＲＵはまた、スペクトルアロケータの決定に基づいて１つの動作周波数から別の動作周波数に切替える命令を受信することができる（そのような命令は信号トレース５２３によって表され、後段においてさらに詳細に説明される）。
【００６８】
以下に示すのは、ＣＭが更新情報５０７を１または複数のＢＳに提供する結果をもたらしうる例示的なトリガーの非限定的なリストである。
・隣接するＢＳ、たとえば５１７または５１９は、ＢＳ５０１に送信された元のチャネルリストに一覧されたチャネルを割り振る、
・元のチャネルリストに提供されている１または複数のチャネルのチャネル使用率は、所与のしきい値を超える、
・元のリストに提供されている１または複数のチャネルのチャネルタイプは変化している、たとえばチャネルタイプは使用可能からＰＵ割り当て済みに変化した、および／または
・元のリストで提供されなかったチャネルは、ＢＳに使用される潜在的な候補チャネルとなる、たとえば、チャネルタイプがＰＵ割り当て済みから使用可能に変化し、チャネルは隣接するＢＳによって割当て解除される、など。
【００６９】
図５に示されるポリシーベースの制約５１５は、ＢＳポリシーエンジンによって生成されてもよい（図６）。図６に示される本発明の１つの実施形態において、ＢＳポリシーエンジン６０１は、ＣＭ５０３によって提供されるオペレータポリシー５０７をローカライズされたポリシー６０３（たとえば、ＢＳにおいてメモリに格納されている）と結合して、ＳＡ５０９の制約を生成する。ローカライズされたポリシーは、ＳＡの振る舞いが、チャネルがユーザの要件と一致する方法で割り振られるように微調整されるようにすることができる。ポリシーベースの制約は、オプションで、たとえば電力制御、アドミッション制御などその他のＢＳ機能の振る舞いを制御するために生成されてもよい。
動的スペクトル割当て
【００７０】
以下のセクションでは、ＴＶＷＳチャネルでのＬＴＥ動作を可能にするために使用されうるＳＡ手順の実施形態を説明する。初期化において、ＳＡは、認知検知による継続的な候補チャネル監視を開始する。候補チャネル監視は、さまざまなイベントに応答して再構成されてもよい。
【００７１】
追加の帯域幅が必要とされる場合、ＳＡチャネル割当て手順がトリガーされる。割り振られるチャネル（複数可）がアクティブ化される場合、アクティブチャネル（複数可）監視手順は、認知検知およびＬＴＥベースの測定で構成される。システムにおいて発生するさまざまなイベントは、アクティブチャネル監視の再構成をトリガーすることができる。チャネルがもはや必要なくなった場合、チャネルは解放されてもよく、関連する検知および測定は停止されてもよい。
候補チャネル監視
【００７２】
候補チャネル監視手順は、ＢＳ（たとえば、ｅＮＢ）によって使用されうるチャネルを最適に選択するために使用されてもよい。この手順は、動作のチャネル（複数可）を選択するためにＢＳの初期化時点で実行されてもよい。あるいは、この手順は、動作にさらに最適なチャネルを選択するため、または追加のチャネルの割当てをサポートして容量を増大するために、定期的に実行されるか、またはイベント（たとえば、チャネル品質低下、輻輳など）に応答して実行されてもよい。
【００７３】
候補チャネル監視手順は一般に、ＣＭ５０３からの入力およびＷＴＲＵ５０５による認知検知に依存して、使用のために割り振られうるチャネルを継続的に確認する。チャネルリスト５０７は、動作のために使用されうる潜在的なチャネルの有限数をｅＮＢに提供する。各チャネルに提供される情報は、チャネルタイプ／カテゴリパラメータを含むことができる。さまざまなタイプの検知の方法が、さまざまなチャネルタイプに対して実行されてもよい。ＴＶＷＳドメインに定義されている例示的なチャネルタイプおよび関連する検知要件の非限定的な例は、以下に説明される。
・二次認可のタイプのチャネルについては、特にチャネルが所与の時間に単一のｅＮＢによって使用される場合、ｅＮＢ（および／またはＷＴＲＵ）はこれを検知する必要はない。
・使用可能なタイプのチャネルについては、多くのセカンダリユーザが、同じ地理的位置において同じ時間にこれにアクセスすることができる。このチャネルタイプの場合、ｅＮＢ（および／またはＷＴＲＵ）は、セカンダリユーザ（ＳＵ）の検知を実行すべきである。ＳＵ検知は、その他のセカンダリユーザのチャネル使用を評価すべきであり、さまざまなセカンダリユーザのＲＦ信号特性を識別するために特徴検出をオプションで実行することができる（この情報は共存の目的で使用されてもよい）。
・プライマリユーザ（ＰＵ）割り当て済みのタイプのチャネルについては、ｅＮＢ（および／またはＷＴＲＵ）は、ＰＵがｅＮＢ（および／またはＷＴＲＵ）において検出されない限りこれを使用することが許容される。したがって、ｅＮＢ（および／またはＷＴＲＵ）は、ＰＵ検出のための検知を実行すべきである。さらに、その他のセカンダリユーザもまたこのチャネルを使用することがあるので、ｅＮＢ（および／またはＷＴＲＵ）もまたＳＵ検知を実行すべきである。
【００７４】
ＳＡがＰＵ割り当て済みのチャネルタイプを割り振る場合、ｅＮＢはその使用を開始できることに留意されたい。しかし、これが割り当てられるのは、ＰＵ検知機能を有するＷＴＲＵのみとなる。オプションで、これは、ＰＵ検知機能を備えていないＷＴＲＵに対して割り当てられうるが、ダウンリンクのみの使用に限定される。
【００７５】
ＳＵおよびＰＵ検知は、さまざまな手法に従って指定されてもよい。本発明のさまざまな実施形態を表すさまざまな手法のリストは、後段において説明される。
【００７６】
１つの実施形態において、検知は、ｅＮＢおよび認知検知機能を有するすべてのＷＴＲＵ（または位置代表である固有のＷＴＲＵ）において実行される。この手法は、ｅＮＢ位置のみならずＷＴＲＵの位置においてもチャネルを使用する前にＰＵの不在および低いＳＵの存在（ＳＵによる低い干渉）を確実にすることにより大きなセルのシナリオにおいて有利となりうる。
【００７７】
もう１つの実施形態において、ｅＮＢは、サービスを提供するデバイスの代表位置であるとみなされる。したがって、ＰＵおよびＳＵの検知は、ｅＮＢにおいてのみ適用される。一方、この手法は、ＷＴＲＵにおける消費電力の増大をまねくことはないが、しかし小さいセルサイズのシナリオにのみ使用するように確保されるのが最善であってもよい。
【００７８】
さらにもう１つの実施形態において、ＰＵおよびＳＵの検知は、割り振られて使用される前に監視されるべき候補チャネルについてｅＮＢにおいてのみ実行される。しかし、チャネル／補足のセルが割り振られて使用される（アクティブ化される）と、ｅＮＢに加えて、このチャネルを使用しているＷＴＲＵもまたＰＵおよびＳＵの検知を実行する。特に、アップリンク使用について、ＢＳは、ＰＵ検知機能を有するＷＴＲＵへのＰＵ割り当てのチャネルのみをスケジュールする。
【００７９】
オプションで、チャネルは、ＰＵ検知機能を備えていないＷＴＲＵに対して割り当てられうるが、ダウンリンクのみの使用に限定される。補足セルがアクティブ状態である場合、ＬＴＥベースの測定も実行されることに留意されたい。この手法は、セルサイズに関してスケーラビリティの利点をもたらす。消費電力に関して、この手法は、候補チャネルを監視するためにＷＴＲＵにおいて消費電力を増大させることがないという利点を有するが、補足セルがアクティブ状態であり、アップリンクチャネルの端末デバイスによって使用されている場合には、その限りではない。オプションで、ＷＴＲＵにおける検知は、（同じ地理的位置のＷＴＲＵにおける条件がＷＴＲＵの１つにおける条件によって十分に表されると想定して）位置代表としての役割を果たすことができる固有のＷＴＲＵによってのみ検知を実行することにより最適化されうる。したがって、共通の地理的位置からのＷＴＲＵは、消費電力負荷を共用するために検知ロールで交代することができる。
【００８０】
図７は、１つの非限定的な実施形態によるスペクトル割当て初期化を示す。ｅＮＢがＴＶＷＳチャネルで動作する場合、ｅＮＢはＴＶＷＳデータベースに登録する必要がある。ｅＮＢ５０１は、ＣＭ５０３を介してその登録を実行する。
【００８１】
ｅＮＢスタートアップ時または動作中に、ＲＲＭ管理および制御機能７０１は、ＣＭ５０３へのＴＶＷＳ動作構成の要求を開始する。この要求は、ｅＮＢ  ＤＳＭ  Ｃｏｎｆｉｇ．ＲＥＱメッセージ７０３によって表されるが、これはｅＮＢがバックグラウンド候補チャネル監視手順を使用可能にしたかどうかを指示するための動作モードパラメータを含むことができる。ｅＮＢ  ＤＳＭ  Ｃｏｎｆｉｇ．ＲＥＱメッセージ７０３を受信すると、ＣＭ５０３は、ｅＮＢとＴＶＷＳデータベースとの間のエンドツーエンドのデバイス登録をトリガーする（図７には図示せず）。
【００８２】
一部の実施形態において、ＣＭはオプションで、候補チャネルのランク付けリスト、共存ルール、および／または使用情報を、そのような情報を処理することができる場合、つまり後段において説明される候補チャネル監視手順をサポートする場合に、ｅＮＢに送信することができる（メッセージ７０５）。
【００８３】
ｅＮＢ内のエンティティとＣＭとの対話は、以下の事項を含むことができる。第１に、ＣＭはオペレータポリシーをｅＮＢポリシーエンジンに送信する。これは、７０５および７０７において示されているように、ＲＲＭ管理および制御機能を通じて行われてもよい。７１０において示されるように、ｅＮＢポリシーエンジン７０９は、オペレータポリシーをｅＮＢローカライズポリシーと結合して、（メッセージ７１２によって表されるように）チャネルを選択／割り振るときに使用するようにスペクトル割当てエンティティ（ＳＡ）７１１に制約を発行する。次いで、ＳＡ７１１は、７１４において示されるように、それに応じて構成される。一方、一部の実施形態において、ＳＡとのすべての通信は、ＲＲＭ管理および制御機能を通過する。
【００８４】
動作中、ポリシーは、（オペレータポリシーの場合）ＣＭ５０３において、（ローカライズポリシーの場合）ｅＮＢ５０１において変更することができる。ＳＡ７１１は、たとえば候補チャネルの監視、チャネル割当て、アクティブチャネルの監視など、ＳＡ手順の実行によって生じうる将来のＳＡの決定を行う場合に適用されうるように、それらのポリシーの変更をオプションで通知されてもよい。
【００８５】
７１６およびメッセージ７１８で示されるように、ＣＭ５０３は、（バックグラウンド候補チャネル監視が使用可能である場合）共存ルールおよび情報と共にチャネルのランク付けリストを、ｅＮＢ５０１に送信することができる。メッセージ７２０によって示されるように、このチャネルリストを受信すると、ＲＲＭ管理および制御機能７０１は、バックグラウンド候補チャネル監視を開始するようにＳＡ７１１を構成して、ＳＡ７１１は、７２２において示されるように、候補チャネル監視を開始する。
【００８６】
一部の実施形態において、ＲＲＭ管理および制御機能７０１は、たとえばネットワーク輻輳の検出など、ｅＮＢ動作中に発生するイベントに応答して、候補チャネル監視に対するＳＡ７１１の構成をトリガーする。
【００８７】
図８は、ＳＡによる候補チャネル監視手順のセットアップの詳細を示す（図７の７２２に概ね対応する）。図７に関連して上記で説明されるように、ＳＡ７１１は、ポリシー（図７からのメッセージ７１２、コンテキストおよび明確にするため図８で複製されている）およびランク付きチャネルリストおよび共存情報を伴うＲＲＭ管理および制御機能からの要求（図７からのメッセージ７２０、コンテキストおよび明確にするため図８で複製されている）の両方を受信した後に候補チャネル監視をセットアップするための手順の実行を開始する。次いで、図８の８０１において示されるように、ＳＡ７１１は、ポリシーおよび共存情報を適用して、前述のステップ７２０においてＲＲＭ管理および制御機能から受信したチャネルリストからＮ個のチャネルを選出する、ただしＮはシステムパラメータであって検知プロセッサの能力によって異なり、Ｎはリスト内のチャネルの数と等しいかまたはその数よりも小さい整数である。
【００８８】
１つの実施形態において、選出アルゴリズムは、二次認可のチャネルタイプのチャネルを最初に、次いで、使用可能なチャネルタイプ（その使用が容認可能であると仮定して）のチャネル、次いでＰＵ割り当てのチャネルタイプのチャネル、というように優先順位付けする。選出アルゴリズムはまた、Ｎ個の選出されたチャネルの選択および順序付けを行う際に、セルサイズ（ｅＮＢカバレッジ）に関して許容される送信電力を考慮することもできる。Ｎ個の選出されたチャネルがすべて二次認可のチャネルである場合、検知は必要とされない。それ以外の場合、８０３に示されるように、ＳＡは、すべてのチャネルの認知検知をトリガーするように検知プロセッサ８０５を構成する。図８にはそのように示されていないが、代替的実施形態において、ＳＡ７１１は、ＲＲＭ管理および制御機能７０１を介してすべての命令を検知プロセッサ８０５に発行することができる。さらに、８０７および８０９において示されるように、ＳＡ７１１は、オプションで、ＲＲＭ管理および制御機能７０１を介して、監視のために選出されたＮ個のチャネルについて（ランク付きリスト）ＣＭ５０３に通知することができ、ＣＭがこれらのチャネルを監視されるものとしてマーク付けできるようにする。
【００８９】
８１１に示されるように、構成後、検知プロセッサ８０５は、チャネルタイプに応じて、さまざまなアルゴリズムを使用して検知を実行する（たとえば、ＳＵ検知および／またはＰＵ検知）。検知プロセッサ８０５は、検知結果をＳＡ７１１にレポートし（メッセージ８１３）、ＳＡはさらに、それらの検知結果をＲＲＭ管理および制御機能７０１にレポートする（メッセージ８１５）。ＳＡ７１１は、継続的にそれらの結果にアクセスし、チャネルを適宜ランク付けする。ランク付けアルゴリズムの１つの可能な実施形態において、ＳＡは、使用可能なチャネルタイプ（そのチャネル使用が容認可能である場合）のチャネル、次いでＰＵ割り当てのチャネルタイプのチャネル、というように優先順位を割り当てる。アルゴリズムはまた、セルサイズ（ｅＮＢカバレッジ）およびチャネル上のチャネル使用に関して許容される送信電力を考慮することもできる。
【００９０】
一部の実施形態において、検知が基地局および／またはＷＴＲＵによる特徴検出（技術のタイプの検出）を含む場合、ランク付けアルゴリズムはまた、共存の観点からチャネルに存在するＳＵのタイプを考慮することもできる。たとえば、Ｗｉ−Ｆｉのように送信前に検知する、フレンドリーなセカンダリユーザは、フレンドリーではない方法でチャネルにアクセスする技術を採用するセカンダリユーザよりも優先されてもよい。また、検知結果から、ＳＡは、プライマリユーザの存在（ＰＵ割り当てのチャネルについて）、および／または候補チャネルの高いチャネル使用の検出を継続的に実行する。ＰＵが検出されるか、または高いチャネル使用が検出される場合、候補チャネル監視は再構成される必要がある。
【００９１】
上記で説明されるように、ＳＡ７１１はＮ個のチャネルを選出する、ただしＮはシステムパラメータであってＷＴＲＵの認知検知能力に応じて異なる可能性もあり、これはプライマリユーザ検出およびセカンダリユーザ監視に固有の周波数間測定でＷＴＲＵを構成するために使用される。ＷＴＲＵにおける候補チャネル監視は、新しい測定オブジェクトと接続されたＷＴＲＵ（つまり、ＲＲＣ＿ＣｏｎｎｅｃｔｅｄモードのＷＴＲＵ）を構成することに基づいてもよい、ただし１つの測定オブジェクトはＮ個の監視されるチャネルのそれぞれに必要である。
【００９２】
セカンダリユーザ監視の場合、測定オブジェクトは、１または複数の固有の技術（たとえば、ＷｉＦｉ）を定義することができ、その固有の技術が測定オブジェクトによって定義されたチャネルで動作しているかどうかをＷＴＲＵが確認する必要がある。測定オブジェクトは、固有の技術が使用することができる１または複数の帯域幅サイズを提供することができる。測定オブジェクトはまた、検出された技術が、レポーティング条件として検出の基準を満たすために受信される必要がある固有の受信電力しきい値を定義することもできる。たとえば、イベント条件は、固有の受信電力しきい値よりも高い固有の技術を使用する任意のセカンダリユーザから受信された信号の任意の発生をレポートすることであってもよい。イベントのシーケンスは、以下の論理に従うことができる。
【００９３】
セカンダリユーザの監視を定義するチャネルＮ１（Ｎ個のチャネルのうちの１つ）の測定オブジェクトは、ＲＲＣ再構成メッセージを通じて接続済みモードで認知検知対応のＷＴＲＵに送信される。ＷＴＲＵは、ＲＲＣメッセージを受信し、そのＲＲＣレイヤを適宜構成する。ＷＴＲＵは、チャネルＮ１の二次使用を監視するために、周波数間測定または便宜主義的にＤＲＸオフサイクルで使用される測定ギャップの一部を使用する。
【００９４】
ＷｉＦｉ検出のような特徴検出は、測定オブジェクトで定義された有効な地域幅サイズの１つ（つまり、５ＭＨｚ）を選択することによってＷＴＲＵにより実行されてもよく、これからＷＴＲＵは、サンプリングレートおよびデフォルトの変調方式を導き出して、そのサンプリングレートおよび変調方式におけるＷｉＦｉプリアンブルの存在を監視することができる。ＷｉＦｉプリアンブルが検出される場合、ＷＴＲＵは、プリアンブルに続くＲＳＳＩを測定して、固有の技術の受信電力レベルを推定する。電力レベルの推定は、複数のＷｉＦｉ検出イベントにわたり平均化されてもよい。
【００９５】
プライマリユーザ検出の場合、測定オブジェクトは、このチャネルで検出される必要のあるプライマリユーザ技術のセットをＷＴＲＵに提供することができる。たとえば、チャネルリストおよび使用で受信された情報に基づいて、ｅＮＢはＤＴＶ信号のみが検出される必要があることを知ることができる。
【００９６】
図９Ａ〜図９Ｂは、さまざまなトリガーに応答して候補チャネル監視手順を再構成するプロセスの実施形態を示す。図９Ａに示される第１のトリガー９０１は、認知検知の結果に基づいている。ＳＡ７１１が（検知プロセッサ８０５からのレポートメッセージ８１３を介して）プライマリユーザの存在および／またはチャネル上の高いチャネル使用を検出する場合、ＳＡ７１１は、更新済みのチャネルリストをその付随する情報（共存情報、測定情報）と共にＣＭ５０３に要求することによって、候補チャネル再選出手順を開始する。
【００９７】
１つの実施形態において、ＣＭとのすべての通信は、ＲＲＭ管理および制御機能７０１によって処理される。したがって、候補チャネル再選出手順のそのような実施形態において、ＳＡ７１１は、更新済みのチャネルリストおよびその他の情報を求める要求９０３をＲＲＭ管理および制御機能７０１に送信する。ＲＲＭ管理および制御機能７０１は、対応する要求９０５をＣＭ５０３に送信する。ＣＭは、要求された情報でＲＲＭ管理および制御機能に応答し（メッセージ９０７）、ＲＲＭ管理および制御機能は結果をＳＡに転送する（メッセージ９０９）。ＳＡは、受信したリストを使用し、新しい置換のチャネルを再選出する（９１１）。次いで、ＳＡは、ｅＮＢにおいて検知プロセッサの再構成をトリガーし、適切である場合、ＷＴＲＵにおいて、ＰＵおよび／または高いＳＵチャネル使用によって影響を受けるチャネルの検知を停止して、新しい選出されたチャネルの検知を開始する。さらに詳細には、ＳＡは、検知再構成メッセージ９１３を検知プロセッサに送信し、さらに検知再構成メッセージ９０５を、ＷＴＲＵ５０５に転送するためにＲＲＣ管理および制御機能にも送信する。ＲＲＭ管理および制御機能は、検知再構成メッセージ９１９をＷＴＲＵ５０５に送信する。ＣＭはまた、オプションのメッセージ９１７を介して、新しく形成された候補チャネルリストがｅＮＢにおいて監視されていることを通知されてもよい。
【００９８】
９２１において示されるように、検知プロセッサ８０５は、その検知パラメータを、検知構成メッセージ９１３によって指示されたとおりに再構成する。９２３において示されるように、ＷＴＲＵ５０５はまた、その検知パラメータを、ＲＲＣ測定再構成メッセージ９１９によって指示されたとおりに再構成する。９２５において示されるように、ＣＭ５０３は、ｅＮＢによって監視されている候補チャネルのそのリストを更新する。
【００９９】
これ以降、図９Ｂを参照すると、第２のトリガータイプは、９５１において示され、ＣＭデータベースにおけるチャネルステータスの変化に基づいている。データベースはさまざまなｅＮＢにおいて監視されているチャネルについて通知されるので、ＣＭは、ＣＭデータベースにおいてチャネルのステータスに変化がある場合には直ちにその後援でｅＮＢについてＳＡに通知することができる。ＳＡが新しいチャネルリストをＣＭから受信するごとに、ＳＡは候補チャネルリストを改善することができる。
【０１００】
さらに詳細には、図９Ｂを参照すると、９５１において、ＣＭ５０３はチャネルのステータスの変化を検出する。
【０１０１】
ステータスの変化に基づく例示的なトリガー９５１の非限定的なリストは、以下に説明される。
・監視される候補チャネルタイプが別のユーザに対して二次認可となる。この場合、ＣＭからのそのような情報を受信したことに応答して、ＳＡは、そのチャネルの監視を停止して、候補チャネル再選出手順をトリガーすることによって監視するＮ個のチャネルのそのリスト内のチャネルを置き換える。
・監視される候補チャネルタイプがＰＵ割り当てとなる。この場合、ＳＡは、そのチャネルでＰＵ検知を開始するように検知プロセッサを構成する。オプションで、ＳＡはまた、候補チャネル再選出手順を使用して、ＰＵ割り当てのチャネルを、別の使用可能なチャネルと置き換えることを考慮することもできる。
・監視される候補チャネルタイプがセカンダリユーザによって使用されている。この場合、ＣＭは、共存の観点からＳＵの推定されるチャネル使用およびタイプに関する情報をＳＡに提供する必要がある。ＳＡは、チャネル使用が高すぎて、ＳＵがフレンドリーに共存していない場合には、候補チャネル再選出手順を通じてチャネルを置き換えることを検討することができる。あるいは、ＳＡは、この情報を無視し、ＳＵ検知のみに依存してｅＮＢ位置におけるこの新しいＳＵの実際の影響を測定することもできる。
・新しい二次認可のチャネルが解放されて使用できる。この場合、ＣＭは、ｅＮＢが使用可能なＰＵ割り当て済みのチャネルを監視していることを知って、ＳＡに新しく二次認可されたチャネルについて通知する。ＳＡは、そのランク付け候補チャネルリストから最下位ランクのチャネルを選択して、その検知を停止するようにｅＮＢおよび／またはＷＴＲＵ（複数可）において検知を再構成する。次いで、ＳＡは、新しいチャネルをその候補チャネルリストに含め、新しいチャネルで検知を開始するようにｅＮＢおよび／またはＷＴＲＵ（複数可）において再構成をトリガーする。
【０１０２】
１つの実施形態において、ＣＭデータベースがチャネルのステータスの変化を監督する情報を有すること、およびＣＭデータベースが反応して任意の変化をｅＮＢに通知することが仮定される。しかし、もう１つの実施形態において、ＳＡは、更新済みのチャネルリストをＣＭに定期的に要求することができる。次いで、ＳＡは、監視された候補チャネルにステータスの変化が生じているかどうかを確認する。
【０１０３】
候補チャネル監視再構成のさらにもう１つのトリガーは、候補チャネルの１または複数が使用のために割り振られる場合であってもよい。次いで、アクティブチャネル監視手順は、これらのチャネルに対して構成される。
【０１０４】
再び図９Ｂを参照すると、ＣＭ５０３は、チャネル変更ステータスメッセージ９６３をＲＲＭ管理および制御機能７０１に送信し、ＲＲＭ管理および制御機能は情報をＳＡに転送する（メッセージ９５５）。９５７において、ＳＡは、トリガーイベント９５１が、更新済みのチャネルリストをＣＭに要求することを必要とするものであるかどうかを決定する。そのようなイベントは、前述の（１）チャネルが二次認可となる、（２）チャネルがＰＵ割り当てとなる、（３）チャネルがセカンダリユーザによって使用される、および（４）以前二次認可のチャネルが解放される、のいずれかを含むことができる。そのいずれかを含む場合、ＳＡは、チャネルがその候補チャネルリストからドロップされて、新しいチャネルと置き換えられるべきであると決定する。したがって、ＳＡは、９５９において示されるように、候補チャネル再選出手順を開始することができる。また、トリガーイベントがネットワークによるチャネルの二次認可である場合、ＳＡは付加的に、そのチャネルの検知を即座に中止する（９５８）。そのチャネルの検知の中止は、二次認可のイベントだけにとどまらない。実際に、チャネルが候補チャネルリストからドロップされると直ちに、ＳＡは、そのチャネルの検知を中止する。
【０１０５】
１つの実施形態において、候補チャネル再選出手順は、ＳＡ７１１が、更新済みのチャネルリストおよびその他の情報を求める要求９６０をＲＲＭ管理および制御機能７０１に送信することで開始する。ＲＲＭ管理および制御機能７０１は、対応する要求９６１をＣＭ５０３に送信する。ＣＭは、要求された情報でＲＲＭ管理および制御機能に応答し（メッセージ９６３）、ＲＲＭ管理および制御機能は結果をＳＡに転送する（メッセージ９６４）。
【０１０６】
一方、たとえば、（図９の９６５に示されるように）トリガーイベントがプライマリユーザへのチャネルの新しい割り当てである場合、ＳＡは、必ずしもＣＭから更新済みチャネルリストを取得する必要はない。むしろ、ＳＡは、ｅＮＢ５０１および／またはＷＴＲＵ５０５においてチャネル送信手順（複数可）を単に再構成して、プライマリユーザによる使用についてそのチャネルの監視を開始することができる。
【０１０７】
いずれにせよ、その後、手順は、図９Ａに関連して上記で説明されている手順と極めて類似している。特に、ＳＡは、ｅＮＢにおいて検知プロセッサの再構成をトリガーし、適切である場合、ＷＴＲＵにおいて検知プロセスは、ＰＵおよび／または高いＳＵチャネル使用によって影響を受けるチャネルの検知を停止して、検知再構成メッセージ９６７を検知プロセッサに送信すること、および検知再構成検知メッセージ９７１をＷＴＲＵ５０５への転送のためにＲＲＣ管理および制御機能に送信することによって、新しい選出されたチャネルの検知を開始する。ＲＲＭ管理および制御機能は、検知再構成メッセージ９７７をＷＴＲＵ５０５に送信する。ＣＭはまた、オプションのメッセージ９７３を介して、新しく形成された候補チャネルリストがｅＮＢにおいて監視されていることを通知されてもよい。
【０１０８】
９６９において示されるように、検知プロセッサ８０５は、その検知パラメータを、検知構成メッセージ９６７によって指示されたとおりに再構成する。さらに、９７９において示されるように、ＷＴＲＵ５０５はまた、その検知パラメータを、ＲＲＣ測定再構成メッセージ９７７によって指示されたとおりに再構成する。９７５において示されるように、ＣＭ５０３は、ｅＮＢによって監視されている候補チャネルのそのリストを更新する。
アクティブチャネル監視
【０１０９】
チャネルがｅＮＢにおいて割り振られ、（ＷＴＲＵのような）端末デバイスにおいて構成されると、ＲＲＭ管理および制御機能は、認知検知のみならず、ＬＴＥベースの測定、つまりアクティブチャネル監視も通じてこのチャネルの使用の監視を開始する。認知検知（ＰＵ検知およびＳＵ検知）は、ｅＮＢにおいて実行されるべきであり、場合によっては、チャネルが割り振られているときにはＷＴＲＵにおいても実行されるべきである。しかし、チャネルの品質を調査するＷＴＲＵ  ＬＴＥベースの測定は、ＷＴＲＵによるチャネルの実際の使用に基づいており、したがって、チャネルがＷＴＲＵにおいて構成された後にしか開始することができない。
【０１１０】
ＲＲＭ管理および制御機能は、チャネルの品質を評価するため、その他のＳＵからの高いチャネル使用およびＰＵの存在を検出するため、アクティブチャネルの検知および測定レポートを継続的に処理する。このアクティブチャネル管理の間、ＲＲＭ管理および制御機能は、ｅＮＢおよびＷＴＲＵにおけるアクティブチャネル監視の再構成をトリガーすることができるか、または同様にｅＮＢおよびＷＴＲＵにおけるアクティブチャネル監視を再構成するシームレスなチャネル切替え手順をトリガーすることができる。
【０１１１】
シームレスなチャネル切替え手順および／またはアクティブチャネル監視の再構成をトリガーすることができる例示的なイベントの非限定的なリストは、以下に説明される。
・ＣＭは、たとえば二次認可されているチャネルが所与の期間にわたりプライマリユーザに割り当てられるなど、チャネルステータスの変化をｅＮＢに通知することができる。この場合、ＲＲＭ管理および制御機能は、ＰＵ検出の検知がチャネルを使用しているｅＮＢおよび／またはＷＴＲＵにおいて構成されるように、アクティブチャネル監視の再構成をトリガーする。
・ＰＵの検出は、ＰＵを検出したノードのタイプおよび／または（検出を行ったノードの数に関する）検出の範囲に応じて、異なる反応をもたらす可能性がある。少数のＷＴＲＵがＰＵの存在を検出する場合、ＲＲＭ管理および制御機能は、ＰＵを検出したＷＴＲＵにチャネルを割り当てることを回避するようにパケットスケジューラに指示することができる。チャネルは、ダウンリンク送信のためにこれらのＷＴＲＵにおいて非アクティブ化され、対応する検知および測定は解放されるように再構成されてもよい。しかし、検出がｅＮＢまたは多数のＷＴＲＵにおいて生じる場合、ＲＲＭ管理および制御機能は、シームレスなチャネル切替え手順をトリガーすることができる。
・ＳＵおよび／またはＳＵによるチャネルの使用の増大の検出。オペレータ／ローカルポリシーに応じて、ＲＲＭ管理および制御機能は、シームレスなチャネル切替え手順をトリガーすることができる。一部の実施形態において、ＲＲＭ管理および制御機能は、ＳＵによって引き起こされるパフォーマンスの低下が許容可能である場合、そのようなチャネルで共存しようと試みることができる。
・ＬＴＥベースの測定レポートから、低下が（少数のＷＴＲＵの）固有のリンクで評価される場合、負荷分散、ＩＣＩＣなどのような特化された手順が問題を処理するために実行されてもよい。オプションで、パケットスケジューラは、そのチャネルを固有のＷＴＲＵに割り当てることを回避するように指示されてもよい。しかし、低下が多数のＷＴＲＵについて検出され、チャネルに全般的である場合、ＲＲＭ管理および制御機能は、シームレスなチャネル切替え手順をトリガーすることができる。
【０１１２】
ＬＴＥベースの測定レポートから、チャネルの低い使用が評価される（たとえば、基地局が必要以上のチャネルを有する）場合、ＲＲＭ管理および制御機能は、監視対象からチャネルを解放するためのチャネル解放手順をトリガーすることができる。したがって、同様に、アクティブチャネル監視の再構成は、すべての関連する検知および測定も解放するように行われる。
【０１１３】
図１０は、アクティブチャネル管理アルゴリズムの実施形態を示す。１００１において、ＲＲＭ管理および制御機能がチャネルステータスの変化についてＣＭから通知を受信する場合、フローは１００３に進み、そこでＲＲＭ管理および制御機能は、必要であるかまたは望ましい場合、直前に説明されているトリガーイベントのシナリオのいずれかに従うなどによって、ｅＮＢおよび関連するＷＴＲＵ（複数可）においてアクティブチャネル監視を再構成する。先に述べられているように、場合によっては、ＲＲＭ管理および制御エンティティは、いかなる再構成も実行しないことを決定することもできる。いずれの場合も、次いで、フローは１００５に進み、そこでチャネルがプライマリユーザに割り当てられていることが検出されたかどうかが決定される。検出されたと決定された場合、フローは１００７に進み、そこでプライマリユーザが実際にチャネルを使用しているかどうかが決定される。使用していると決定された場合、フローは１０１１に進み、そこでシームレスなチャネル切替え（後段において詳細に説明される）がチャネルを退避させるために実行される。一方、チャネルが１００５において決定されたようにプライマリユーザに再割り当てされていない場合、またはチャネルが再割り当てされているが、プライマリユーザのアクティブな存在が１００７において検出されない場合、フローはかわりに１００５または１００７から１００９に進み、そこでチャネル品質が特定のしきい値を満たすかどうか決定される。満たすと決定されない場合、フローは、シームレスなチャネル切替えのために１００９から１０１１に進む。一方、チャネル品質がしきい値を超える場合、かわりにフローは１００９から１０１３に進み、そこでアクティブチャネル監視が従来どおり続行する。
シームレスなチャネル切替え
【０１１４】
アクティブチャネル監視プロセスの一部として、ｅＮＢは、セルの動作周波数を変更するように決定することができる。これは、ＷｉＦｉネットワークが補足セル（ＳｕｐｐＣｅｌｌ）によって使用される同じチャネルの動作を開始または再開するシナリオにおいて有益となりうるが、それは干渉レベルがこの固有の補足セルに突然容認不可能になりうるためである。これは特に、ＷｉＦｉノードによって受信されるＬＴＥ信号強度が−６２ｄＢｍのエネルギー検出しきい値を下回るときに、ＷｉＦｉノードがその送信を遅延させない場合に当てはまる。もう１つのシナリオは、プライマリユーザがｅＮＢによって検出され、現在のＴＶＷＳチャネルでのすべての送信が停止される必要がある場合であってもよい。幸いなことに、ＦＣＣによって定義されるＴＶＷＳ帯域は、大きく、最大３２の等しいサイズのチャネルから成る。したがって、１または複数の類似するチャネルが切替えられるように使用可能である高い可能性がある。これらのシナリオは、動作周波数の変更が有益となるであろうセル内で動作するＷＴＲＵの大多数に影響を及ぼすパフォーマンスの課題を指し示す。後段において説明されるシステムおよび方法は、シームレスなチャネル切替え能力、つまりシームレスなチャネル切替え、および事前定義済みのセルへのセル切替えを提供する。
【０１１５】
最初にシームレスなチャネル切替えを参照すると、これは、セルが非常に近い将来に新しいチャネルで（つまり、新しい動作周波数で）動作を開始することを、所与のセルに関して構成されたすべてのＷＴＲＵに指示することによって実行されてもよい。セルのすべての他のパラメータには変更はない。セルでの動作の中断は最小にとどめられる、つまりＷＴＲＵ（複数可）は、ＭＡＣ（複数可）をリセットすることも、切替え時間でＨＡＲＱバッファをフラッシュすることもない。ｅＮＢは、その所与のセルで動作するすべてのＷＴＲＵに、所与の時間に新しい周波数に移行するように命令することができる。ｅＮＢは、その時間に以前の動作周波数での送信を停止する必要がある。
【０１１６】
ＴＶＷＳスペクトルの場合、セル変更は、６ＭＨｚの２つの等しいサイズのチャネルの間で行われてもよい。その結果、ＭＡＣレイヤは、当初独立しているかまたはＲＲＣに透過的である方法でセル変更を制御することができる。その結果、セル変更が実行される必要がある場合、ＷＴＲＵのＲＲＣレイヤは当初切替えを認識せず、セル変更が発生しなかったかのように同じ構成を使用して動作を続行する。一方、ＭＡＣレイヤは、ＳｕｐｐＣｅｌｌの変更済みのチャネルでトランスポートブロックをスケジュールするか（ＤＬの場合）、またはＳｕｐｐＣｅｌｌの変更済みチャネルを使用してＷＴＲＵのいずれかにＵＬ認可をスケジュールすることができる。これは、セル変更を開始するためにＲＲＣシステム情報を各ＷＴＲＵに送信する必要を回避する。これは、セル変更の待ち時間の全体的な減少をもたらし、システムのチャネル機敏性およびＳｕｐｐＣｅｌｌを変更する効率的な方法が重要となる認可不要帯域における動作に望ましい。
【０１１７】
この実施形態の例示的な論理フローは、以下のとおりである。
１．  ｅＮＢは、認可不要帯域で帯域幅を決定して割り振ることに責任を負う中央エンティティからチャネル変更要求を受信する（これはｅＮＢ自身であってもよい）。セル変更要求は、ＳｕｐｐＣｅｌｌが移行すべき認可不要帯域の新しいチャネルを含むことが想定され、ｅＮＢおよびＷＴＲＵによるこのチャネルの使用に必要な追加の情報を含む。このセル変更要求はＭＡＣレイヤに転送され、ＭＡＣレイヤはこの要求を開始して制御することに責任を負う。
２．  ｅＮＢにおいてＭＡＣレイヤは、セル変更要求および新しいチャネルに関する重要な情報（キャリア周波数、最大許容可能送信電力）を受信する。
３．  ｅＮＢにおいてＭＡＣレイヤは、チャネル切替えＭＡＣ  ＣＥを含むＭＡＣ  ＰＤＵ（プロトコルデータユニット）を作成する。チャネル切替えＭＡＣ  ＣＥは、ステップ１で取得された重要なチャネル情報を含む。チャネル切替えＭＡＣ  ＣＥは、現在ｅＮＢにおける送信の準備が整っているＭＡＣ  ＳＤＵ（サービスデータユニット）よりも高い優先順位を与えられる。チャネル切替えＭＡＣ  ＣＥがトランスポートブロックとしてＰＨＹレイヤにマッピングされる方法についてのさらなる詳細は、以下に示される。
４．  ＭＡＣ  ＣＥを含むトランスポートブロックを受信する各ＷＴＲＵは、ＭＡＣレイヤにおいてチャネル切替えを復号する。次いで、ＭＡＣレイヤは、固有のフレーム／サブフレームにおいて（チャネル切替えメッセージに従って）新しいチャネルに切替えるようにＰＨＹレイヤ（およびフロントエンド）を構成する。
５．  チャネル切替えＭＡＣ  ＣＥが受信される場合、現在ＭＡＣレイヤによって保持されているＨＡＲＱバッファおよびその他のコンテキスト情報は変更されない。たとえば、ＷＴＲＵが補足ＵＬキャリアでＡＣＫ／ＮＡＣＫを送信するようにスケジュールされ、その補足キャリアのチャネルがＡＣＫ／ＮＡＣＫの送信に先立って切替えられた場合、ＷＴＲＵは、同じスケジュールされたサブフレームでＡＣＫ／ＮＡＣＫを送信するが、新しいチャネル／周波数で送信する。
６．  必要に応じて、チャネル切替えに関連する一部の限られた量の情報は、ＲＲＣレイヤに渡されて、チャネル切替えに透過的でありながら、ＲＲＣの適正な機能を保証することができる。これはまた、ＭＡＣとＲＲＣとの間で交換される（ＭＡＣレイヤによる）情報の変換で構成されてもよい。
７．  ＷＴＲＵとｅＮＢ／ＨｅＮＢとの間のＲＲＣメッセージングは、使用されているＳｕｐｐＣｅｌｌの観点からｅＮＢ／ＨｅＮＢおよびＷＴＲＵのＲＲＣレイヤを再同期化するために使用される。
【０１１８】
１つの実施形態において、チャネル−切替えＭＡＣ制御要素と称される、ＭＡＣ  ＣＥは、構成されたセルの１つが動作周波数を変更することをＷＴＲＵに指示する。以下に示すのは、１つの非限定的な実施形態による、ＭＡＣ  ＣＥベースのチャネル切替え手順の例示的な詳細およびルールである。ＭＡＣ  ＣＥは、ユニキャストであり、ＷＴＲＵ固有のＲＮＴＩを使用する。通信が切替えられる構成済みセル（切替えセルと称される）の指示は、チャネル切替えＭＡＣ  ＣＥに含まれる。切替えセルの構成パラメータには変更はない。ＷＴＲＵは、ＭＡＣをリセットすることも、切替え時間でそのＨＡＲＱバッファをフラッシュすることもない。ＨＡＲＱバッファは保持される。新しい動作周波数の指示は、チャネル切替えＭＡＣ  ＣＥに含まれる。図１１に示されるように、チャネル切替えは、ＭＡＣ  ＣＥに加えて８つのサブフレームの受信に続くフレーム境界において生じる。セルＩＤには、切替えの結果、変更はない。その時点において、ｅＮＢおよび影響を受けるＷＴＲＵ（複数可）は、以前のチャネルの測定／検知を停止し、ＲＲＣ測定をフラッシュして、新しいチャネルで新しい測定／検知を開始する。
【０１１９】
これ以降、チャネル切替えＭＡＣ  ＣＥ１２００の構造を示す図１２を参照すると、チャネル切替えＭＡＣ  ＣＥは、図１２で指示されるように、ＬＣＩＤでＭＡＣ  ＰＤＵサブヘッダによって識別される。これは、固定のサイズを有し、３つのオクテット１２０１、１２０３、および１２０５から成る。第１のオクテット１２０１は、切替えセルのＳＣｅｌｌＩｎｄｅｘを識別するための３ビット１２０７を含む。その他の５ビット１２０９は予約済みである。第２および第３のオクテット１２０３、１２０５は、新しいＥＡＲＦＣＮ１２１１を表す。表１は、ＤＬ−ＳＣＨのＬＣＩＤの例示的な値を示す。
【０１２０】
【表１】
2015506604.tif 000003
【０１２１】
ＷＴＲＵは最初に、セル変更に先立って（ＲＲＣシグナリングを通じて）システム情報を明示的には受信せずに新しいセルで動作する必要があるので、ＷＴＲＵは最初に、チャネル切替えＭＡＣ  ＣＥ１２００で提供される特定のキーパラメータを除いて、同じシステム情報を古いＳｕｐｐＣｅｌｌであると想定する。この想定が有効となるようにするため、古いＳｕｐｐＣｅｌｌおよび新しいＳｕｐｐＣｅｌｌは、以下の同じ値を含む必要がある。
【０１２２】
ｄｋ−Ｂａｎｄｗｉｄｔｈ／ｕｌ−Ｂｎａｄｗｉｄｔｈ  −  認可不要帯域（特にＴＶＷＳ）は一般に固定の帯域幅を通じて定義され、すべてのＳｕｐｐＣｅｌｌにわたり固定の帯域幅を有することは配備のための好ましいシナリオである。
【０１２３】
ｐｈｉｃｈ−Ｃｏｎｆｉｇ  −  ＰＨＩＣＨがＳｕｐｐＣｅｌｌで構成される場合、このＰＨＩＣＨの構成は（少なくとも当初は）同じままでなければならない。それにより、ＭＡＣレイヤは、ＰＣＤＤＨが以前のセルと同じであると想定されるので、１つのＳｕｐｐＣｅｌｌから別のＳｕｐｐＣｅｌｌにシームレスに移行できるようになる。
【０１２４】
ＣＱＩ−ＲｅｐｏｒｔＣｏｎｆｉｇ  −  ＭＡＣレイヤは、新しいＳｕｐｐＣｅｌｌがＲＲＣシグナリング（ＲＲＣレイヤの再同期化に続く）を通じてＣＱＩレポーティングを再構成するまで、セル変更にわたり同じＣＱＩレポートを保持する。
【０１２５】
ＰＵＳＣＨおよびＰＵＣＣＨのアップリンク電力計算パラメータは、チャネル切替えＭＡＣ  ＣＥで指定されている最大電力に従う（または拡大縮小される）ことを除いては、同じままでなければならない。ＲＲＣによって構成され、ＳｕｐｐＣｅｌｌでの振る舞いに適用可能である特定のシステム情報は、セル変更の際に変更される必要はない。これは、たとえば、測定構成に関する場合である。ＷＴＲＵのＲＲＣにおいて実行される測定を停止またはリセットするのではなく、ＷＴＲＵは、セル変更の前後いずれでもＳｕｐｐＣｅｌｌで測定を続行することを許容される。ＲＲＣは、以前のチャネルで収集されたＬ３測定をフラッシュすることができる。したがって、ｅＮＢ／ＨｅＮＢにおいてＲＲＣレイヤ（およびＲＲＭ）は、過去の特定の時間に生じたチャネル変更を通知された後、ＲＲＭおよびＳｕｐｐＣｅｌｌ選択のためにチャネル変更に続いてＷＴＲＵから受信したすべての測定を無視する。ＲＲＣレイヤが再同期化され、任意の測定再構成が行われると、ｅＮＢ／ＨｅＮＢは、ＷＴＲＵからもたらされる測定の再検討を始めることができる。主要な概念は、ＲＲＣが、短期間にわたりチャネル変更について認識せずに動作し、次いでチャネル変更および変更が生じた正確な時間について後に通知されることである。次いで、測定は、この情報に基づいて調整または再検討されてもよい。
【０１２６】
図１３は、ＭＡＣレイヤ開始のチャネル変更に関与するイベントの例示的な論理フローを示す。特に、ＳｕｐｐＣｅｌｌで構成された測定についての考慮が示される。認可不要帯域の帯域幅を決定して割り振ること（たとえば、スペクトル割当て）に責任を負う中央エンティティ１３０１は、チャネル切替え要求メッセージ１３１１をｅＮＢ５０１、特にｅＮＢ  ＲＲＣ１３０９に送信する。チャネル切替え要求メッセージ１３１１は、ＳｕｐｐＣｅｌｌが移行すべき認可不要帯域の新しいチャネルを開示し、影響を受けるｅＮＢおよびＷＴＲＵによるこのチャネルの使用に必要な追加の情報を含む。これに応答して、ＲＲＣは、古いＳｕｐｐＣｅｌｌに関連するＲＲＭアクティビティを使用不可にする。ＲＲＣ１３０９は、チャネル切替え要求をＭＡＣレイヤ１３０７に転送する（メッセージ１３１５）。これに応答して、ＭＡＣ１３０７は、１３１７に示されるように、適切なチャネル切替えＭＡＣ  ＣＥを含む対応するＭＡＣ  ＰＤＵを作成する。チャネル切替えＭＡＣ  ＣＥは、現在ｅＮＢにおける送信の準備が整っているＭＡＣ  ＰＤＵよりも高い優先順位を与えられる。次いで、ＭＡＣ１３０７は、切替えが生じるべきフレームを明らかにするチャネル切替え時間指示メッセージ１３１９をＲＲＣ１３０９に送信する。１３２１において示されるように、ＲＲＣは、メッセージを中央エンティティ１３０１に転送する。１３２３において示されるように、ＭＡＣはまた、チャネル切替えＭＡＣ  ＣＥを、トランスポートブロックを介してＷＴＲＵ  ＭＡＣレイヤに送信する。前述のように、トランスポートブロックを受信する各ＷＴＲＵは、ＭＡＣレイヤにおいてチャネル切替えを復号し、ＭＡＣレイヤは、指定されたフレーム／サブフレームにおいてＳｕｐｐＣｅｌｌの新しいチャネルに切替えるようにＰＨＹレイヤ（およびフロントエンド）を構成する。ＷＴＲＵ  ＭＡＣ１３０５は、チャネル切替えＡＣＫメッセージ１３２５をｅＮＢ  ＭＡＣ１３０７に返す。
【０１２７】
チャネル切替えＭＡＣ  ＣＥが受信される場合、現在ＭＡＣレイヤによって保持されているＨＡＲＱバッファおよびその他のコンテキスト情報は変更されない。たとえば、ＷＴＲＵが補足ＵＬキャリアでＡＣＫ／ＮＡＣＫを送信するようにスケジュールされ、その補足キャリアのチャネルがＡＣＫ／ＮＡＣＫの送信に先立って切替えられた場合、ＷＴＲＵは、同じスケジュールされたサブフレームでＡＣＫ／ＮＡＣＫを送信するが、新しいチャネル／周波数で送信する。必要に応じて、チャネル切替えに関連する一部の限られた量の情報は、ＲＲＣレイヤに渡されて、チャネル切替えに透過的でありながら、ＲＲＣの適正な機能を保証することができる。これはまた、ＭＡＣとＲＲＣとの間で交換される（ＭＡＣレイヤによる）情報の変換で構成されてもよい。
【０１２８】
図１３の１３２７において示されるように、指定された切替えフレーム／サブフレームにおいて、スケジューリングおよび送信は、新しいチャネルに切替えられる。その後、ＷＴＲＵとｅＮＢとの間のＲＲＣレイヤメッセージングは、使用されているＳｕｐｐＣｅｌｌの観点からｅＮＢ／ＨｅＮＢおよびＷＴＲＵのＲＲＣレイヤを再同期化するために使用される。さらに詳細には、ＷＴＲＵ  ＲＲＣ１３０３は、補足セル測定レポート１３２９をｅＮＢ  ＲＲＣ１３０９に送信する。前述のように、ｅＮＢ  ＲＲＣレイヤ１３０９（およびＲＲＭ）は、１３３１において示されるように、ＲＲＭおよびＳｕｐｐＣｅｌｌ選択の目的でチャネル変更に続いてＷＴＲＵから受信されるすべての測定を無視する。次いで、ｅＮＢ  ＲＲＣ１３０９は、ＲＲＣ接続再構成（ＲＲＣ  Ｃｏｎｎｅｃｔｉｏｎ  Ｒｅｃｏｎｆｉｇｕｒａｔｉｏｎ）メッセージ１３３３をＷＴＲＵ  ＲＲＣ１３０３に送信する。ＷＴＲＵ  ＲＲＣ１３０３は、必要な再構成を実行した後、ＲＲＣ接続再構成完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージ１３３５をｅＮＢ  ＲＲＣ１３０９に送信する。ＲＲＣレイヤが再同期化され、任意の測定再構成が行われると、ｅＮＢは、ＷＴＲＵから受信される測定の検討を再度始めることができる。
【０１２９】
特定の制御チャネル（たとえば、ＰＣＦＩＣＨ）のリソース要素へのマッピングは、それらの制御チャネルを送信しているセルの物理セルＩＤに依存する。ＳｕｐｐＣｅｌｌもまたＳｕｐｐＣｅｌｌのセルＩＤに基づいてこれらの制御チャネルを定義することが可能であってもよい。ＳｕｐｐＣｅｌｌ変更またはチャネル切替えの場合に発生しうる２つのシナリオがある。第１は、新しいチャネルで動作しているＳｕｐｐＣｅｌｌが異なるセルＩＤを有し、セルＩＤのこの変更がＷＴＲＵに伝達される必要があることである。チャネル切替えＭＡＣ  ＣＥは、それらの制御チャネルの新しい位置への移行がチャネル切替えＭＡＣ  ＣＥの適用するフレームまたはサブフレームで即座に生じるように、新しいＰＨＹ  Ｃｅｌｌ  ＩＤを含む。第２は、チャネル切替えが、セルＩＤを変更する必要なく発生しうることである。たとえば、ＷＴＲＵに使用されているＳｕｐｐＣｅｌｌが、チャネルｘで実際にオフにされて、チャネルｙでオンに戻される場合、物理的なセルＩＤは同じままである可能性が高い。
【０１３０】
セルＩＤも変化する、およびシステムはまたＷＴＲＵによるその送信を必要とする場合について、チャネル切替えＭＡＣ  ＣＥおよび対応する確認応答の内容は、それぞれ以下の表２および表３に示される。表２のチャネル切替えＭＡＣ  ＣＥの構造は、図１２に示されている構造の代替である。これは、セルＩＤが変化している状況に限り使用されてもよい。しかし、あるいは、単一の整合性のあるチャネル切替えＭＡＣ  ＣＥの構造を使用するため、表２の構造は、たとえセルＩＤの変化がなくてもすべての場合で、図１２に示される構造の代わりに使用されてもよい。
【０１３１】
【表２】
2015506604.tif 000004
【０１３２】
【表３】
2015506604.tif 000005
【０１３３】
Ｃａｒｒｉｅｒ  Ｉｎｄｉｃａｔｏｒ  Ｆｉｅｌｄ（ＣＩＤ：キャリアインジケータフィールド）：これは、チャネル切替えを受ける補足チャネルを識別する。特に、ＣＩＦの各ビットは、キャリアを表す（そして、各キャリアが異なるチャネル上にあると仮定する）。したがって、ＣＩＦ内のビットの変化は、チャネル切替えを受ける補足チャネルを識別する。このフィールドは、ＬＴＥ  Ｒｅｌ−１０で定義されているＣＩＦに対応することができるか、または複数の補足キャリアが認可不要帯域とのアグリゲーションに関与する場合に特定の補足キャリアを識別するためにＷＴＲＵによって使用される同様の値であってもよい。
【０１３４】
Ｔａｒｇｅｔ  Ｃｈａｎｎｅｌ  Ｎｕｍｂｅｒ（ターゲットチャネル番号）：このフィールドは、セルが切替えられる認可不要帯域の新しいチャネルを識別する。識別は、（ＴＶＷＳスペクトルの場合のように）特定のチャネルとチャネル番号との間の１対１のマッピングを通じて、または同様の手段により行われてもよい。ＴａｒｇｅｔＣｈａｎｎｅｌＮｕｍｂｅｒは、（ＴＳ３６．３３１により）新しいチャネルに使用されるべきＣａｒｒｉｅｒＦｒｅｑを暗黙的に指定する。
【０１３５】
Ｍａｘ  Ｐｏｗｅｒ（最大電力）：このフィールドは、ＷＴＲＵが新しいチャネルで送信することができる最大電力を指定する。これは、たとえば、そのチャネルを使用するための規制要件に基づいてもよい。最大電力は、ＴＳ３６．３００の電力ヘッドルームＭＡＣ  ＣＥの場合のように、テーブル状の手段を通じて指定されてもよい。
【０１３６】
Ｆｒａｍｅ  ａｎｄ／ｏｒ  Ｓｕｂｆｒａｍｅ  Ｎｕｍｂｅｒ（フレームおよび／またはサブフレーム番号）：このフィールドは、切替えが実施されるべきＳＦＮ（および場合によってはサブフレーム番号）を含む。言い換えれば、このフレーム番号において、すべてのＷＴＲＵはチャネルｘでの受信を停止して、チャネルｙでの受信を開始する必要がある。古いチャネルに関連付けられていた任意のアップリンク割当てまたは永続的ダウンリンク割当ては、これ以降、このフレーム／サブフレーム番号における新しいチャネルに適用される。
【０１３７】
Ｎｅｗ  Ｃｅｌｌ  ＩＤ（新しいセルＩＤ）：新しいＳｕｐｐＣｅｌｌの物理セルＩＤを指示する。このセルＩＤは、チャネル切替えに先立って使用されているＳｕｐｐＣｅｌｌ  ＩＤと同じであっても、同じでなくてもよい。
【０１３８】
さまざまな実施形態によれば、ＭＡＣ  ＣＤを使用する事前構成済みのセルへのセル切替えは通常、所与のセルで動作するように構成された一部またはすべてのＷＴＲＵに信号伝達される。本明細書において説明されるシステムおよび方法の注目に値する態様は、測定がＷＴＲＵによって実行されない事前構成済みのセルの開発、およびｅＮＢが通常（共存の理由から）事前構成済みのセルを介して動作しないことを含む。（ＰＨＹレイヤに可視的な、構成済みであるが非アクティブ化されたセカンダリセルの場合と比較すると）、事前構成済みのセルの存在は、ＰＨＹレイヤに透過的である。そのようなものとして、事前構成済みのセルは、ＤＣＩフォーマットのキャリアインジケータフィールド（ＣＩＦ）によって定義されるようなチャネルセットの一部ではない。したがって、これらはまた、ＲＲＣレイヤにおいて固有のＣｅｌｌＩｎｄｅｘを割り当てられていない。事前構成済みのセルが構成済みのセルを置き換える場合、切替え時間においてのみ、セルはキャリアインジケータフィールド（ＣＩＦ）で表されてもよい。
【０１３９】
別のチャネルに切替えることを決定するために使用される測定はＷＴＲＵの外部で（たとえば、別のＷＴＲＵによって）行われてもよいので、事前定義済みのＳｕｐｐＣｅｌｌは、これを認識しているＷＴＲＵにチャネルを監視することを要求しない。第２に、アクティブ化／非アクティブ化ＭＡＣ制御要素とは対照的に、チャネル切替えＭＡＣ制御要素が受信される場合、ＨＡＲＱバッファおよびＳｕｐｐＣｅｌｌに格納されているその他のコンテキスト情報は、保持されて、新しいＳｕｐｐＣｅｌｌに転送される。その結果、古いＳｕｐｐＣｅｌｌおよび新しいＳｕｐｐＣｅｌｌの一部のＲＲＣ構成パラメータは、ｅＮＢ／ＨｅＮＢが２つのチャネル間のセル変更またはチャネル切替えを実行することができるようにするため、同じでなければならない（たとえば、ＴＤＤ  ＵＬ／ＤＬ構成は、ＴＤＤシステムのＳｕｐｐＣｅｌｌに対して同じである必要がある）。
【０１４０】
標準的なＲＲＣ事前構成メッセージ（または情報要素）の内容が以下に示される。メッセージは、チャネル切替えＭＡＣ  ＣＥメッセージによって後にアクティブ化されうるすべての潜在的なＳｕｐｐＣｅｌｌの完全なリストである。パラメータｍａｘＳｕｐｐＣｅｌは、認可不要帯域で使用可能なチャネルの数、およびｅＮＢ／ＨｅＮＢによりサポートされる潜在的な周波数構成によって制限される。加えて、特定のセルの構成はまた、別のセルの構成から導き出されてもよい。たとえば、セルｙの事前構成は、ＡＲＦＣＮ、ｐｈｙＳｕｐｐＣｅｌｌＩＤ、およびＳｕｐｐＣｅｌｌＩｎｄｅｘのような特定のキーフィールドを除いては、セルｘと同じ情報から成る。
RRC_Preconfiguration := SEQUENCE (SIZE (1..maxSuppCell)) OF
SuppCellToPreConfigure
SuppCellToPreConfigure ::= SEQUENCE {
SuppCellIndex SuppCellIndex,
CellIndentification   SEQUENCE {
phySuppCellID   phySuppCellID,
dl-CarrierFreq   ARFCN
}
suppCellradioResourceConfigCommon   RadioResourceConfigCommon
suppCellradioResourceConfigDedicated  RadioResourceConfigDedicated
}
【０１４１】
１つの実施形態による例示的な論理フローは、以下のとおりである。
１．  ＲＲＣは、事前構成済みのＳｕｐｐＣｅｌｌとして認可不要帯域のすべての潜在的に使用可能なチャネルを事前構成する。使用可能なチャネルは、たとえば、ＴＶＷＳデータベースに含まれている情報からＲＲＣに伝達されてもよい。
２．  １または複数の事前構成済み（および非アクティブ化）ＳｕｐｐＣｅｌｌは、現在アクティブなＳｕｐｐＣｅｌｌ（ＳｕｐｐＣｅｌｌ１）の代替として選択される。この決定は、たとえば、チャネル近接性または可用性に基づいて行われてもよい。これはまた、チャネル特性（たとえば、帯域幅または最大送信電力）の類似性に基づいてもよい。
３．  コンテキストに関連する構成パラメータ（たとえば、ＴＤＤ  ＵＬ／ＤＬ構成）がＳｕｐｐＣｅｌｌ１と同一に設定されるように、ＲＲＣ構成メッセージは、選択された事前構成済みＳｕｐｐＣｅｌｌ（つまりＳｕｐｐＣｅｌｌ２）を再構成するために送信されてもよい。このステップは、任意のセル変更に先立って複数回実行されてもよい（たとえば、アクティブなＳｕｐｐＣｅｌｌのＲＲＣ構成が変更されるごとに、同じ変更が、代替として役割を果たすべき事前構成済みのＳｕｐｐＣｅｌｌの特定のパラメータに適用される）。
４．  ｅＮＢ／ＨｅＮＢにおけるＲＲＣレイヤは、上位レイヤによりチャネルを変更する必要を通知される。次いで、この通知はＭＡＣレイヤに送信される。
５．  チャネル切替えＭＡＣ制御要素はＷＴＲＵに送信されて、ＳｕｐｐＣｅｌｌ（たとえば、ＳｕｐｐＣｅｌｌ１）を非アクティブ化して解放し、ステップ１で定義された事前構成済みのセル（たとえば、ＳｕｐｐＣｅｌｌ２）からＳｕｐｐＣｅｌｌを構成して場合によってはアクティブ化するようにＷＴＲＵに指示する。
６．  場合によっては、ＷＴＲＵは、チャネル切替えメッセージに応答して、チャネル切替えＡＣＫ  ＭＡＣ  ＣＥを送信する。
７．  ＷＴＲＵのＭＡＣレイヤは、セル変更についてＲＲＣレイヤに通知する。
【０１４２】
チャネル切替えＭＡＣ  ＣＥおよびチャネル切替えＭＡＣ  ＣＥ  ＡＣＫの潜在的なフォーマットは、以下の表４および表５に示される。認可不要帯域内のチャネルの数は、ＬＴＥ  Ｒｅｌ−１０で許容可能なコンポーネントキャリア（ＣＣ）の数よりもはるかに大きい可能性があるので、チャネル切替えＭＡＣ  ＣＥは、アクティブ化／非アクティブ化ＭＡＣ  ＣＥとは全く異なっている。
【０１４３】
チャネル切替え中に、ＷＴＲＵは、補足セルインデックスに基づいて変更するセルを識別するが、補足セルインデックスインデックスは事前構成済みのセルごとに一意の識別子である。補足セルインデックスは、ＲＲＣ＿Ｐｒｅｃｏｎｆｉｇｕｒａｔｉｏｎメッセージの一部として事前構成済みのセルの各々について提供される。
【０１４４】
【表４】
2015506604.tif 000006
【０１４５】
【表５】
2015506604.tif 000007
【０１４６】
新しいＳｕｐｐＣｅｌｌの固有の構成は、ＲＲＣがそのＳｕｐｐＣｅｌｌを事前構成したとき最初に提供された。この構成は、チャネル周波数、固有のチャネルの最大送信電力、ＴＤＤ  ＵＬ／ＤＬ構成などのようなパラメータを含む。その結果、任意のＷＴＲＵのＭＡＣレイヤがチャネル切替えＭＡＣ  ＣＥを受信する場合、上記のメッセージで受信したＳｕｐｐＣｅｌｌ  ＩＤに関連付けられている構成で動作を開始する。切替えが行われる実際のタイミングは、フレームおよび／またはサブフレームフィールドによって指定される。ここで、ＷＴＲＵが古いＳｕｐｐＣｅｌｌからトランスポートブロックの受信を中止して、新しいＳｕｐｐＣｅｌｌからトランスポートブロックの受信を開始する、ＳＦＮおよび、オプションでサブフレームが指定されてもよい。新しいＳｕｐｐＣｅｌｌ  ＩＤの値に応じて、追加のフィールドが含まれてもよい。そのような追加のフィールドが必要となる事例は（たとえば、認可帯域フォールバックの場合）、以下に説明される。
【０１４７】
確認応答において、ＷＴＲＵが指定されたサブフレームでチャネル切替えを実行することができたかどうかをｅＮＢに指示するために、成功またはエラーコードが送信されてもよい。固有のエラーコードに関連する追加のフィールドも、ＷＴＲＵによって送信されてもよい。
【０１４８】
切替えが行われるべきフレーム／サブフレーム番号が指定されるので、割当て動作は、切替え境界を超えて続行することができる。これは、図１４のタイミング図に示されるが、この図は、ＷＴＲＵによるチャネル切替えＭＡＣ  ＣＥ１４１０の受信に続いて保留中のＵＬ許可が処理される方法の例を示す（システムはチャネル切替えＡＣＫを使用しないと仮定して）。
【０１４９】
上記の例において、古い補足アップリンクＣＣからのすべてのコンテキスト情報が新しい補足アップリンクＣＣ１４２２に持ち越されるので、それぞれサブフレーム０および２で行われたアップリンク許可１４１２および１４１４は、１４１６においてセル変更が生じた後も引き続き有効である。アップリンクデータは、当初スケジュールされていたとおり、サブフレーム３および５で新しい補足アップリンクＣＣ１４２２を介してＷＴＲＵｘによって送信される。
【０１５０】
同様の手法は、ＰＨＩＣＨチャネルでのＡＣＫ／ＮＡＣＫリソースの割当てに行われる。たとえば、ＷＴＲＵが、サブフレーム３で（固有のＰＨＩＣＨチャネルの）補足ダウンリンクＣＣ１でＡＣＫ／ＮＡＣＫが受信されることを期待するが、チャネル切替えがサブフレーム１で受信される場合、ＡＣＫ／ＮＡＣＫは同じＰＨＩＣＨチャネルで受信されるが、代わりに補足アップリンクＣＣ２で受信される。
【０１５１】
ユニキャストＭＡＣ  ＣＥの代替として、以下の手順は、シームレスなチャネル切替えまたは事前定義済みのＳｕｐｐＣｅｌｌへのセル切替えのいずれに対してであっても、シームレスなチャネル切替えを信号伝達することができる。シグナリングは、グループベースのチャネル切替えＭＡＣ制御要素、Ｌ１制御シグナリングベースのセル変更メカニズム、およびセル変更を可能にするためのクロスキャリアスケジューリングの使用を含む。
グループベースのチャネル切替えＭＡＣ制御要素
【０１５２】
ＭＡＣ  ＣＥを使用してシームレスなチャネル切替えを実行するために使用される手法に関わりなく、ＵＬまたはＤＬ（またはＴＤＤ動作の場合両方）の補足キャリアを同時に使用する複数の可能性があるＷＴＲＵに単一のＭＡＣ  ＣＥを送信することが必要になることもある。これを行うために、グループベースのチャネル切替えＭＡＣ  ＣＥの概念が導入される。
【０１５３】
グループベースのチャネル切替えＭＡＣ  ＣＥの存在は、トランスポートブロックに付随するトランスポートフォーマットインジケータ（ＴＦＩ）のＰＨＹに指示される。この情報をＭＡＣから受信すると、ＰＨＹによるトランスポートブロックのスケジューリングは、複数のＷＴＲＵが同じトランスポートブロックを受信して復号するように実行される。これは、本明細書において認可不要使用ＲＮＴＩ（ＵＵ−ＲＮＴＩ：Ｕｎｌｉｃｅｎｓｅｄ  Ｕｓａｇｅ  ＲＮＴＩ）と称される、新しい無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）を導入することによって達成されうる。
【０１５４】
ＳｕｐｐＣｅｌｌとしての任意の認可不要のチャネルの使用に先立って、ＷＴＲＵは、１または複数の固有のＵＵ−ＲＮＴＩを割り当てられる。共通のＵＵ−ＲＮＴＩは、同じＳｕｐｐＣｅｌｌまたはＳｕｐｐＣｅｌｌのセットを使用する複数のＷＴＲＵに関連付けられる。この関連付けは、ＳｕｐｐＣｅｌｌが構成されるときにシステム情報を通じてＲＲＣによって行われてもよい。関連付けはまた、固有のＵＵ−ＲＮＴＩに関連付けられているＷＴＲＵのセットを動的に変更することができるようにＲＲＣメッセージングを通じて更新されてもよい。たとえば、ｅＮＢは、ＳｕｐｐＣｅｌｌを使用するＷＴＲＵのセットに対して単一のＵＵ−ＲＮＴＩを保持することが好ましい。このＵＵ−ＲＮＴＩは、ＳｕｐｐＣｅｌｌが特定のＷＴＲＵについて最初に構成されるときに割り当てられてもよい。あるいは、ｅＮＢは、ＳｕｐｐＣｅｌｌを使用するユーザのサブセットを、それらのＷＴＲＵの地理的位置に基づいて別のＵＵ−ＲＮＴＩに割り当てることもできる。ＳｕｐｐＣｅｌｌがその地理的領域に対してのみ使用不可能になる場合、チャネル切替えＭＡＣ  ＣＥは、ＳｕｐｐＣｅｌｌが使用できないそれらのＷＴＲＵのみに対処することができる。単一のＷＴＲＵを複数のＵＵ−ＲＮＴＩに割り当てる可能性は、ＷＴＲＵがさまざまな条件下でチャネルを切替えることができるか、または常にそれらのＳｕｐｐＣｅｌｌのうちの１つでチャネルを切替える可能性を持ってｅＮＢから複数のＳｕｐｐＣｅｌｌをサポートすることができるようにする。
【０１５５】
チャネル切替えＭＡＣ  ＣＥメッセージを含むトランスポートブロックを送信する場合、ＰＨＹは、トランスポートブロックに割り振られているリソースをＰＤＣＣＨ上のＵＵ−ＲＮＴＩにアドレッシングする。アドレッシングは、共通の検索スペースまたは専用の検索スペースのいずれかで行われてもよい。
【０１５６】
システムがチャネル切替えＭＡＣ  ＣＥ  ＡＣＫを使用しない場合の頑強性を保証するため、チャネル切替えＭＡＣ  ＣＥは、認可帯域を介して送信されるようにＭＡＣレイヤによってスケジュールされてもよい。これは、認可帯域で構成されうるＰＣｅｌｌおよび／またはＳＣｅｌｌのいずれかで送信されてもよい。加えて、ＰＨＹレイヤは、チャネル切替えＭＡＣ  ＣＥに関連付けられているトランスポートブロックを確実に送信するため、追加の技法を使用することができる。たとえば、より大きい符号化レートおよび下位変調方式は、チャネル切替えＭＡＣ  ＣＥに関連付けられているトランスポートブロックに期待される。（ＰＣｅｌｌまたはＳＣｅｌｌ帯域幅のさまざまなエンドで分散されるリソース要素を使用する割当てのような）ＰＤＳＣＨ上のリソース要素の周波数ダイバーシティを活用するための特定のルールはまた、チャネル切替えＭＡＣ  ＣＥを送信する場合に頑強性を保証するために使用されてもよい。堅固な送信のためのこれらの方法は、システムが、上記で説明されているチャネル切替えＭＡＣ  ＣＥ  ＡＣＫを採用する場合には、必要ではない（ただし依然として有益である）。
【０１５７】
グループベースのチャネル切替えＭＡＣ  ＣＥはまた、特定のＳｕｐｐＣｅｌｌが使用不可能となり、ＷＴＲＵが認可セル（ＰＣｅｌｌまたは場合によってはＳＣｅｌｌ）にフォールバックする必要がある、認可不要帯域を使用するすべてのＷＴＲＵに信号伝達するためのメカニズムとして使用されてもよい。これはまた、新しいＳｕｐｐＣｅｌｌフィールドの特殊または予約値を使用する（たとえば、フィールドの最初のｎビットに特殊値を使用する）、同じグループベースのチャネル切替えＭＡＣ  ＣＥを使用して行われてもよい。この場合、事前スケジュール済みのリソース（チャネル切替え境界によって指定されたサブフレーム境界の後に実施されるＵＬ許可のような）は、取り消されるか、またはその代わりに認可キャリアに移行される必要がある。認可帯域のリソースに関するスケジューラからの情報が使用可能であり、ターゲットサブフレームのリソースが使用可能である場合、ＮｅｗＳｕｐｐＣｅｌｌＩＤフィールドは、同じリソースが使用されるべきである認可帯域上のセル（たとえば、ＰＣｅｌｌまたはＳＣｅｌｌ）を指示するために使用されてもよい。同じリソースを使用するオプションは、追加情報フィールドの一部として指示されてもよい。
【０１５８】
フォールバック手順中にＳｕｐｐＣｅｌｌから認可セルにリソースを持ち越す代替として、ＮｅｗＳｕｐｐＣｅｌｌＩＤは、チャネル切替えＭＡＣ  ＣＥによって指示されるフレーム／サブフレーム番号に続いて任意の保留中のＵＬ許可が取り消されることを指示することができる。これは、チャネル切替えＭＡＣ  ＣＥが作成される時点においてスケジューラからリソースに関する情報を取得する必要を回避する。これはまた、チャネル切替えＭＡＣ  ＣＥが送信される時間からそれが効力を発するまでの遅延が、特定のサブフレーム数よりも大きくなるよう保証することによって行われてもよく、チャネル切替えＭＡＣ  ＣＥの送信の後に古いＳｕｐｐＣｅｌｌでのＵＬ許可が送信されることはない。
Ｌ１制御シグナリングベースのセル変更メカニズム
【０１５９】
チャネル−切替えＭＡＣ  ＣＥに関して上記で説明されているプロセスを類似するプロセスは、ＭＡＣレイヤの代わりにＰＨＹレイヤにおいてセル変更を可能にするために採用されてもよい。セル変更をトリガーするためのＰＨＹレイヤ制御シグナリングは、ＲＲＣ事前構成に続くＭＡＣ  ＣＥを使用するセル変更、およびＭＡＣレイヤによって開始されたセル変更の両方で使用されてもよい。後段において、事例１（つまり、ＲＲＣによって事前構成されたセル）においてセル変更をトリガーするためのＰＨＹレイヤ制御シグナリングの実施形態が説明される。
【０１６０】
この方法において、セル変更に専用のＤＣＩ（ダウンリンク制御情報）が使用される。（サブフレームｎで送信された）このＤＣＩは、直後のサブフレーム（ｎ＋１）のセル変更を開始することができるか、または（ＭＡＣ  ＣＥの場合のように）切替えが行われるサブフレーム番号を指示することができる。これを指示する１つの方法は、チャネル切替えＤＣＩを搬送するサブフレームからサブフレームのオフセットを指示することである。チャネル切替えＤＣＩは、新しいＤＣＩフォーマットによって定義されてもよい。また、変更バージョンのＤＣＩフォーマット１Ｃ（システム情報の送信に使用される）は、チャネル切替えＤＣＩフォーマットに使用されてもよい。
【０１６１】
チャネル切替えＤＣＩは、複数のＷＴＲＵがこれを受信することができるように、共通の検索スペースに配置される。加えて、セル変更は、現在のサブフレームに続くわずか１つのサブフレームで生じうるので、チャネル切替えＤＣＩフォーマットはコンパクトなメッセージサイズを有する必要がある。チャネル切替えＤＣＩフォーマットに固有のその他の特性は、データに関連付けられている変調方式のＱＰＳＫのみの使用、このメッセージは無応答なのでＨＡＲＱのサポートなし、およびチャネル切替えメッセージを受信すべき複数のＷＴＲＵに共通のＲＮＴＩを使用するスクランブリングである。ＳＩ−ＲＮＴＩは、この場合に使用されてもよい。あるいは、セル変更がＷＴＲＵのサブセットだけに適用する場合、新しいＲＮＴＩが定義されてもよい（たとえば、本明細書において定義されるＵＵ−ＲＮＴＩ）。ＲＲＣは、ＷＴＲＵのセットを所与のＵＵ−ＲＮＴＩと関連付けることに責任を負う。
【０１６２】
１つの実施形態において、チャネル切替えメッセージは、プライマリセルを介して送信される。しかし、もう１つの実施形態において、チャネル切替えＭＡＣ  ＣＥは、セカンダリセルまたはＳｕｐｐＣｅｌｌを介して送信される。
【０１６３】
図１５は、チャネル切替えＤＣＩ１５００の例示的なフォーマットを示す。あるいは、図１５のフォーマットは、既存のＤＣＩに使用されてもよいか、または図１５のフォーマットの代わりに、チャネル切替えＤＣＩは既存のフォーマットおよびＰＤＳＣＨで割当てが指し示す関連するチャネル切替えメッセージ１５０１を使用することができる。
【０１６４】
（ＰＤＳＣＨで）チャネル切替えＤＣＩフォーマットに関連付けられている割当てメッセージの内容は、それぞれＭＡＣおよびＲＲＣセクションに分割されてもよい。これらのセクションは、それぞれ、セル変更に関連するＲＲＣ固有およびＭＡＣ固有の情報を含むことができる。各セクションのサイズは、チャネル切替えＤＣＩのリソース割当てフィールドでエンコードされてもよい。ＲＲＣセクションは、新しい物理セルＩＤおよび新しいＳｕｐｐＣｅｌｌに関連付けられている新しい測定構成を含むことができる。ＭＡＣセクションは、新しい物理ＣｅｌｌＩＤ、認可帯域フォールバックの場合に取るべき振る舞いおよびＨＡＲＱプロセス処理のような、ＨＡＲＱ関連の情報（必要な場合）、新しいＳｕｐｐＣｅｌｌ（および関連するＣＩＦ）に関連付けられているｄｌ−キャリア周波数および帯域幅、新しいＳｕｐｐＣｅｌｌに関連付けられているｕｌ−キャリア周波数および帯域幅、新しいＰＨＩＣＨ構成、新しいアップリンク電力関連のパラメータ（従来はＲＲＣによって設定される）、新しいＬＥチャネルを介して送信されうる最大電力に基づく変更を含むことができる。
【０１６５】
図１６は、Ｌ１制御メッセージングを通じて使用可能にされるセル変更に関連するイベントの例示的なシーケンスを示す。１６０１においてセル変更を通知された後、ｅＮＢのＲＲＣは、新しいＳｕｐｐＣｅｌｌの電源オンをトリガーし（１６０３）、チャネル切替えメッセージのＲＲＣ部分を作成して、情報を新しいＳｕｐｐＣｅｌｌに関連するＭＡＣレイヤに送信する（その情報がＭＡＣでまだ使用可能ではない場合）（１６９５）。ＭＡＣは、その情報を使用して、チャネル切替えメッセージのＭＡＣ部分を作成する（１６０７）。セル変更には、ｅＮＢが新しいキャリア周波数で新しいセルを物理的にオンにすることが必要である場合、この動作もこの時点において行われる。
【０１６６】
ＭＡＣレイヤはまた、チャネル切替えが行われるタイミングも決定し、サブフレームオフセットフィールドを派生させる（１６０９）。チャネル切替えは、リソースブロックのセットに割り振られ、関連するチャネル切替えＤＣＩフォーマットはＰＤＣＣＨおよびＰＤＳＣＨにマッピングされて、影響を受けるＷＴＲＵ（複数可）に送信される。
【０１６７】
ＷＴＲＵにおいて、ＭＡＣおよびＲＲＣは、チャネル切替えメッセージの対応する部分を解釈する（１６１３）。特に、ＷＴＲＵ  ＭＡＣは、チャネル切替えメッセージのＭＡＣセクションを読み取り、チャネル切替え時間の時点で指定されたパラメータの使用を開始する（１６１５）。たとえば、ＭＡＣレイヤは、新しいＰｈｙＣｅｌｌＩＬ（および制御チャネルの構成）を適用して、補足キャリアで任意の制御チャネルを見つけうる。次いで、ＷＴＲＵ  ＭＡＣレイヤは、ＲＲＣセクション情報をＷＴＲＵ  ＲＲＣレイヤに中継する（１６１７）。ＲＲＣは、ＳｕｐｐＣｅｌｌ上で実行されるように測定を再構成する。
セル変更を可能にするためのクロスキャリアスケジューリングの使用
【０１６８】
セル変更は、切替えの時点におけるシグナリングを必要とせずに使用可能にされてもよい。これは、ＰＣｅｌｌ／ＳＣｅｌｌのみからのクロスキャリアスケジューリングの使用を通じて行われてもよい。
【０１６９】
ＳｕｐｐＣｅｌｌがダウンリンクまたはアップリンク制御チャネルを使用しない（ＰＵＳＣＨおよびＰＤＳＣＨのみがＳｕｐｐＣｅｌｌで搬送される）ことが想定される場合、ＷＴＲＵの観点からＳｕｐｐＣｅｌｌのアクティブ化または非アクティブ化は必要とされない。その結果、この方法において、ＬＥ帯域内の１つのセルから別のセルへの切替えはクロスキャリアスケジューリングの使用を通じて暗黙的に行われてもよい。固有のＬＥチャネルがもはや使用可能ではない場合、ｅＮＢはその特定のチャネルに関連付けられているコンポーネントキャリア上のリソース（アップリンクまたはダウンリンク）のスケジューリングを停止して、別のＬＥチャネル上に位置するコンポーネントキャリア上のリソースをスケジュールする。その結果、ＭＡＣアクティブ化／非アクティブ化は、ＷＴＲＵにおいてセル変更を可能にするために必要とされない。
【０１７０】
この切替えの方法を使用可能にするために、ＷＴＲＵは、ｅＮＢがクロスキャリアスケジューリングを使用して最終的に切替えることができるＬＥ帯域内のすべての可能なチャネルを認識している必要がある。事実上、これらのチャネルは各々、Ｒｅｌ−１０の観点からアクティブと想定されるコンポーネントキャリアを表す（これらのコンポーネントキャリアのいずれかへのクロスキャリアスケジューリングは、クロスキャリアスケジューリングを実行するＰＤＣＣＨメッセージ内の適切なＣＩＦを参照することによっていかなる時点でも行われてもよい）。
【０１７１】
ＷＴＲＵが、（たとえば、ＰＤＣＣＨの復号に続いて補足キャリア上でデータのバッファリングを開始することができるように）クロスキャリアスケジューリングを通じてチャネル切替えに続く１つのチャネルから別のチャネルに移行するためにいくらかの時間が必要となることが想定されうる。その結果、チャネル切替え中に、ＤＬ割り当てを搬送するＰＤＣＣＨがサブフレームｎのＰＣＣ／ＳＣＣ（プライマリコンポーネントキャリア／セカンダリコンポーネントキャリア）で送信される場合、新しい補足キャリアでデータを搬送するＰＤＳＣＨは、サブフレームｎ＋１またはｎ＋ｋで送信される（ただし、ｋ＞０）。このルールは、新しい補足キャリアに行われる第１の割当てに限り適用可能である。この第１の割当ての後、ＬＴＥのダウンリンク割当ての通常のタイミングが適用される。
【０１７２】
固有のＷＴＲＵの補足キャリアに第１の割当てが行われたときを決定するため（ひいては、ＰＤＣＣＨとＰＤＳＣＨ間のｋの遅延をＷＴＲＵが想定するときを定義するため）、各ＷＴＲＵによって保持されるＣＩＦベクトルに基づく以下の方法および手順が使用されてもよい。各ＷＴＲＵは、ＲＲＣによる補足セルの構成または再構成以来の最近におけるダウンリンク許可またはアップリンク割当てを通じてｅＮＢによって参照されたＣＩＦ値のベクトルを保持する。ダウンリンクにおいて、ＷＴＲＵは、現在ＷＴＲＵのＣＩＦベクトルにあるＣＩＦに対応する補足セル上のデータのみを復号する準備が整っている。ＣＩＦベクトルの内容に基づいて、ＰＤＣＣＨでの割当ては、ゼロ遅延（つまり、ＰＤＳＣＨデータはＰＤＣＣＨ割当てと同じ時点で補足キャリア上に存在すると想定される）またはｋの遅延（つまり、ＰＤＳＣＨデータはＰＤＣＣＨ割当てに続くｋサブフレームで存在する）のいずれかで復号される。以下の手順が想定される。
【０１７３】
初期スタートアップ、または後に続くｅＮＢ／ＨｅＮＢによる補足セルの構成または再構成において、ＷＴＲＵは、空のＣＩＦベクトルを使用する。ＷＴＲＵが専用シグナリングを通じてｅＮＢによってＣＩＦベクトルの初期コンテンツを送信されると想定して、非空のＣＩＦベクトルもまた可能である。
【０１７４】
ＣＩＦｘに対応する固有の補足セルに対してＷＴＲＵに割当てが行われ、ＣＩＦｘが現在そのＷＴＲＵのＣＩＦベクトルの要素ではない場合、ＷＴＲＵは補足セル上のＰＤＳＣＨデータがＰＤＣＣＨ割当てに続くｋサブフレームに存在すると想定する。その時点において、ＷＴＲＵは、ＣＩＦｘをＣＩＦベクトルに追加する。
【０１７５】
現在ＷＴＲＵ  ＣＩＦベクトルの一部であるＣＩＦ値を使用して割当てが行われる場合、ＷＴＲＵは、補足セル上のＰＤＳＣＨデータがＰＤＣＣＨ割当てと同じサブフレームに存在することを想定する。
【０１７６】
ＣＩＦベクトルは、ＬＥ帯域内のチャネルの数よりも少ないかまたは同じであると想定されうる。ＣＩＦベクトルのほうが小さい場合、特定の場合にＣＩＦベクトルから補足セルを除去するための処置が行われる必要がある。補足セルをＣＩＦベクトルから除去するために個別または組み合わせて使用されうるメカニズムの非限定的なリストは、以下の事項を含む。
・ＷＴＲＵは、ＣＩＦベクトルが現在要素のその最大数に到達している場合、ＣＩＦベクトルから補足セルを除去することができ、ＷＴＲＵは現在ＣＩＦベクトルに存在しない新しいＣＩＦでリソースをスケジュールしたので、新しいＣＩＦが挿入される必要がある。この場合、ＣＩＦベクトル上のもう１つの要素は、ｅＮＢから最も頻度の低い割当てを受信した補足セルを除去することのような、一部の固有のルールを使用して除去される。
・ＷＴＲＵは、特定のサブフレーム数（システム情報を通じてＷＴＲＵおよびｅＮＢに知られている）が補足セルに割当てが行われることなく経過した後、ＣＩＦベクトルから補足セルを除去することができる、および／または
・ｅＮＢは、専用ＲＲＣシグナリングまたはＭＡＣレイヤシグナリングによりＣＩＦベクトルから補足セルの除去を明示的に要求することができる。
【０１７７】
（任意の瞬間に補足キャリアを各々備える）ＬＥチャネルの潜在的に大きいセットに対処できるようにするため、ダウンリンクおよびアップリンクのリソース割当てに使用されるＤＣＩフォーマットは、ＤＣＩフォーマット内にＬＥチャネルインジケータフィールドを含むように変更されてもよい。ＣＩＦは、割当てまたは許可がＬＥ帯域内のチャネルに位置することを指示し、したがって、ＤＣＩフォーマット内のＬＥチャネルインジケータフィールドの存在を指示する。次いで、ＬＥチャネルインジケータフィールドは、割当てまたは許可が関連付けられる正確なＬＥチャネル（ひいてはコンポーネントキャリア）を識別するｘビットフィールドを備える。クロスキャリアベースのセル変更を可能にするためのＬＥチャネルインジケータフィールドの使用は、図１７に示される。
【０１７８】
ＷＴＲＵがＳｕｐｐＣｅｌｌで受信または送信できるようにするため、ＳｕｐｐＣｅｌｌ構成は、ＲＲＣメッセージングを介してＷＴＲＵに送信される必要がある。ＬＥ帯域内のチャネルの各々に関連付けられているすべての可能なＳｕｐｐＣｅｌｌのＲＲＣ情報を格納する必要、およびそれらの各々に関連付けられている情報を更新する必要を回避するため、ｅＮＢはアクティブなセルおよび休止中のセルのリストを保持することができる。アクティブなセルは、ＲＲＣによって構成され、ｅＮＢがいつでもクロスキャリアスケジューリングを行うことができるＳｕｐｐＣｅｌｌのセットに対応する。休止中のセルは、最小範囲まではＷＴＲＵによって認識される（たとえば、このチャネルおよび帯域幅に関連するセルの中央周波数）が、すべての対応するＲＲＣ構成情報がＷＴＲＵには送信されるわけではない。その結果、クロスキャリアスケジューリングの使用を通じたセル変更は、アクティブなセル間でのみ実行されうる。ＲＲＣシグナリングは、必要とされる場合に、アクティブおよび休止中のセルのリストを変更するために、ｅＮＢによって使用されてもよい。リストはまた、静的または半静的であってもよい（たとえば、アクティブセル情報は、基地局またはオペレータがサポートすることができる周波数で構成されてもよく、したがって、ＵＳＩＭに格納されている情報のようなさらに静的な手段を通じて送信されてもよい）。
【０１７９】
アクティブおよび休止中のセルの使用はまた、ＷＴＲＵによって実行される必要のある測定の数を低減させることもできる。スケジューリングを使用可能にするための最小量のチャネル知識を有するため、ｅＮＢは、時折、アクティブセル周波数を介して基準シンボルおよび／または同期シンボルを送信することができる。ＷＴＲＵは、ｅＮＢによって指定されているスケジュールに従って、またはＷＴＲＵによって命令された非同期測定要求に基づいて、基準信号および同期信号の測定を実行することができる。休止中のセルの測定は行われず、ｅＮＢおよびＷＴＲＵは、それらのセルで基準または同期信号を送信しない。
【０１８０】
ソフト移行を通じたセル変更
本明細書において説明されるセル変更のいずれにおいても、ＬＥ帯域のセル変更のメカニズムには、ＷＴＲＵおよびｅＮＢにおけるＭＡＣレイヤによるソフト移行手順が必要となる場合がある。（たとえば、現在使用されているチャネルの１つでのプライマリユーザの検出により）動作する新しいＬＥチャネルを選択する場合、この新しいチャネルへのアクセスは、即時に生じないこともある。特に、ｅＮＢおよび／またはＷＴＲＵは、最初に、実際の送信に先立ってクリアチャネル評価（ＣＣＡ：ｃｌｅａｒ  ｃｈａｎｎｅｌ  ａｓｓｅｓｓｍｅｎｔ）に対する一部のエネルギー検出を実行することによって、チャネルが確実に解放されているよう望むことができる。この「リッスンビフォアトーク（Ｌｉｓｔｅｎ−Ｂｅｆｏｒｅ−Ｔａｌｋ）」の方策は、ＬＴＥシステムがＬＥ帯域を現在使用しているその他のユーザと共存し、またその自身のチャネルアクセス中にそれらのセカンダリユーザからの干渉を回避することを保証する。
【０１８１】
その結果、セル変更には、「リッスンビフォアトーク」に続くチャネルへのアクセスの遅延に起因するセル変更中の使用可能な帯域幅のドロップを回避するため、ソフト移行がＭＡＣレイヤによって実行されることが必要となる。さまざまな実施形態によれば、セル変更に続いて、ＭＡＣレイヤは、ソフト移行期間を保持することができ、送信が宛先チャネル／セルで確立されるまで、送信はソースチャネル／セルで引き続き実行される。ｅＮＢは、許容可能な送信が宛先チャネル／セルで達成されたと決定した時点において、ソースチャネル／セルでのリソース割当てを停止することができる。この場合、トランスポートブロックの送信および対応する確認応答の受信の際に、許容可能な送信が達成されることが想定されてもよい。言い換えれば、ソフト移行期間は、（１）ＣＣＡを使用して新しいチャネルへのアクセスを得るために必要な時間に、（２）そのチャネルにわたりトランスポートブロックを正常に送信するために必要な時間と、（３）ＷＴＲＵがその確認応答を返すために必要な時間とを加えたもので構成されてもよい。この移行時間の第２の部分は、ｅＮＢが、ソースセルでアクティブな送信帯域幅を保持しながら、新しいチャネルのチャネル推定およびＣＱＩ推定を調整することができるようにする。
【０１８２】
ＭＡＣ−ＣＥベースのセル変更のコンテキストにおける例示的なソフト移行手順は、後段においてさらに詳細に説明される。同様のルールは、セル変更のその他のメカニズムに適用することができる。
【０１８３】
ＭＡＣ−ＣＥベースのセル変更の移行期間
さまざまな実施形態によれば、セル変更中に、ＨＡＲＱプロセスの単一のセットが、ソースおよび宛先セルに採用される。その結果、送信が両方のセルにわたり同時に生じうるソフト移行期間中、ｅＮＢまたはＷＴＲＵ（ＵＬまたはＤＬ送信に応じて）は、固有のプロセス番号が送信されるべきセルを選択する。送信機は、新しいセルで送信されるべきプロセス番号のサブセットを選択することによって始動する（通常、移行を使用可能にするために新しいセルで単一のプロセス番号が送信されてもよい）。
【０１８４】
ダウンリンク送信の場合、ＣＩＦはチャネル切替えにわたり共通のままであるため、ＵＥは、チャネル切替えが最初に受信されると最初に新旧両方のＬＥチャネルでＰＤＳＣＨを復号する。新しいセルで最初に送信されたプロセス番号が成功であれば、ｅＮＢはすべてのプロセス番号を新しいセルに移動させ、ＵＥは古いセルでＰＤＳＣＨを復号する必要はなくなる。これは、その固有のＵＥの移行期間の終了を指示する。
【０１８５】
図１８は、保留ＨＡＲＱ送信およびＡＣＫ／ＮＡＣＫに関してダウンリンク送信の移行期間中のイベントの例示的なタイムラインを示す図である。図１８において、チャネル切替えＭＡＣ  ＣＥは、サブフレーム６において、セル変更を、補足セル１から補足セル２に命令する（参照番号１８０１を参照）。このサブフレームから開始して、ｅＮＢは、サブフレーム１１においてチャネルにアクセスできるまでＣＣＡを試みる。ＨＡＲＱプロセス３およびＨＡＲＱプロセス５は、補足セル２で送信されるように選択され（参照番号１８０３を参照）、一方その他のＨＡＲＱプロセスは補足セル１に留まる。トランスポートブロックＤ３は、ＷＴＲＵによって誤って受信され、ＮＡＣＫが送信され（１８０５を参照）、一方ＷＴＲＵはトランスポートブロックＤ５をＡＣＫ（確認応答）する。ＨＡＲＱプロセス番号５を持つ新しいトランスポートブロック（ＮＤＩにより指示される）がＷＴＲＵによって受信される場合（１８０７を参照）、これはソフト移行期間の終わりを信号伝達し、ｅＮＢは補足セル１でデータの送信を停止する。この時点において、ＷＴＲＵは、このセルに対応するＣＩＦに対して補足セル２でＰＤＳＣＨを復号する必要があるだけである。
【０１８６】
ソフト移行期間の終わりは、単一トランスポートブロックの正しい送信および確認応答に対応するが、（たとえば、ｘトランスポートブロックの正しい送信など）その他の基準もまた可能であり、本開示の範囲内に含まれる。
【０１８７】
自律型スペクトルアロケータ
本明細書において説明されるシステムおよび方法の一部の実施形態は、集中ＣＭエンティティに依存しないこともある。そのような実施形態において、ｅＮＢは、ローカル検知／測定レポートと組み合わされたＴＶＷＳデータベースのクエリに基づいてチャネル割当ての決定を行うことができる。これを達成するため、一部の実施形態は、ｅＮＢ動作によるセル検索メカニズムを使用する。このメカニズムは、たとえば、適切にオペレーティングキャリアを選択すること、チャネルを常時監視すること、およびｅＮＢによって測定された干渉レベルが特定の値を超えるなどの必要な場合に異なるオペレーティングキャリアに切替えることなどのような、さまざまな方法を通じて、近隣ｅＮＢおよびその他の非ＬＴＥネットワークによって引き起こされる干渉を最小に抑えることを目指している。
【０１８８】
一部の実施形態において、セル検索エンジンは、機能的にｅＮＢに含まれてもよい。図１９は、１つの可能な実施形態によるセル検索が可能なｅＮＢ１９００の関連するコンポーネントを示すブロック図である。セル検索エンジン１９０１は、たとえば、以下の機能、たとえば、受信信号強度指示（ＲＳＳＩ）、およびチャネル測定（たとえば干渉測定）のようなスペクトル検出（またはチャネルスキャニング）１９０５、さまざまなＲＡＴで並列または順次に動作されるセルを検出できるようにされるマルチＲＡＴセル検索サポート１９０３、プライマリ／セカンダリユーザ検出（１９０９）、ならびに／またはチャネル使用分析１９０７のような機能をホスティングすることができる。
【０１８９】
図１９に示されるように、セル検索エンジン１９０１は、チャネル使用分析およびチャネル測定結果を含みうるメトリック生成のための入力を、メトリック生成ブロック１９１１に送信する。メトリック生成ブロック１９１１は、これらの入力を、システムによって必要とされるメトリックを生成するために使用して、それらをスペクトルアロケータ５０９に送信する。スペクトルアロケータ５０９は、メトリック生成ブロック１９１１からの入力およびその他の係数を使用して、動作しているチャネルを適切に決定し、それに応じてＭＡＣおよびＰＨＹレイヤを構成することができる。
【０１９０】
ｅＮＢがセルディスカバリおよび周辺環境の監視のために実行する手順は、３つのフェーズに分割されてもよく、それらのフェーズは図２０に示される。
【０１９１】
初期化フェーズ２００１は、ｅＮＢが最初にオペレーティングキャリアを選択するか、またはセカンダリ／補足キャリアを決定するフェーズである。このフェーズにおけるｅＮＢの主要なタスクは、以下にリストされる。
１．  すべてのチャネル候補をスキャンし、チャネル品質（すなわち、ＲＳＳＩ）を測定する（２０１１）。
２．  チャネル品質順序に基づいてすべてのチャネル候補をランク付けする（２０１３）、たとえば、最低ＲＳＳＩを持つチャネルはＮｏ．１にランクされる、というように続く。
３．  チャネル選択手順を実行する（２０１５：後段においてさらに詳細に説明される）。
４．  選択されるチャネルを決定して、このチャネル上の同じＲＡＴネットワークのすべてのセルＩＤをリストする（２０２１）。
５．  このチャネル上の同じＲＡＴネットワークによって使用されていないセルＩＤを使用する（２０２３）。
【０１９２】
チャネル選択手順（２０１５）の２つの例示的な実施形態が以下で説明される。
【０１９３】
第１のチャネル選択手順は、図２０に示され、以下のステップを備えることができる。
１．  最高のランク付けを持つチャネルを選択して、チャネル使用分析を実行する（２０１６）。
２．  チャネル使用分析を実行して、チャネルが同じＲＡＴによるネットワークによって過剰に使用されているかどうか決定する（２０１７）。
３．  過剰に使用されている場合、ｅＮＢは、２番目に高いランク付けを持つチャネルに移動して（２０１８）、そのチャネルにチャネル使用分析を実行する（２０１６に戻る）。
４．  一方、チャネル使用が、チャネルが同じＲＡＴによるネットワークによってわずかしか使用されていないことを示す場合、ｅＮＢはこのチャネルを選択する（２０１９）。
【０１９４】
チャネル使用が分析される方法は、システムにより定義されてもよい。一例として、分析および測定に使用されるパラメータは、チャネルで動作されるＲＡＴの数、同じＲＡＴによるネットワークの数、および同じＲＡＴネットワークからのＲＳＳＩを含むことができる。
【０１９５】
チャネルが同じＲＡＴによって過剰に使用されているか、またはわずかしか使用されていないかを決定するためのしきい値は、システムによって異なる。たとえば、しきい値は、オペレーティング技術、パフォーマンス要件（たとえば、ＱｏＳ）などに依存してもよい。
【０１９６】
第２のチャネル選択手順は、以下のステップを備えることができる。
１．  最高のランク付けを持つチャネルを選択して、干渉対カバレッジ分析を実行する。
２．  干渉対カバレッジ分析の例は、望ましいカバレッジを保証するためにｅＮＢによって使用される電力が、特定のしきい値を超える干渉を、ｅＮＢを共有する同一チャネルに引き起こすかどうかを決定してもよい。干渉を引き起こす場合、ｅＮＢは、次に高いランク付けのチャネルに移動して同様の分析を行い、干渉を引き起こさない場合、ｅＮＢは、このチャネルを選択して、このチャネルで動作を開始する。
【０１９７】
ｅＮＢ検出の確率をさらに高め、その他のセルからの干渉を軽減するため、この新しいキャリアの同期信号の位置は、同じＲＡＴによるその他のネットワークによって生成されたプライマリ同期信号（ＰＳＳ：Ｐｒｉｍａｒｙ  Ｓｙｎｃｈｒｏｎｉｚａｔｉｏｎ  Ｓｉｇｎａｌ）／セカンダリ同期信号（ＳＳＳ：Ｓｅｃｏｎｄａｒｙ  Ｓｙｎｃｈｒｏｎｉｚａｔｉｏｎ  Ｓｉｇｎａｌ）へのオフセットを有することができる（たとえば、わずかなシンボル）。
【０１９８】
保持フェーズ２０３０において、ｅＮＢは、オペレーティングチャネル条件を監視し、チャネルに生じた干渉を検出する。
このフェーズにおけるｅＮＢの例示的なタスクは、以下の事項を含むことができる。
１．チャネル条件を定期的／不規則的に測定すること（２０３１）、たとえば、ｅＮＢにおける受信干渉電力の測定およびチャネル使用の分析。
２．チャネル測定、受信品質レポート、および検知結果を関連するＷＴＲＵから収集すること、たとえばＲＳＲＰ、ＲＳＲＱ、およびＡＣＫ／ＮＡＣＫ（２０３３）。
３．定期的／不規則的にＴＶＷＳデータベースを調べ、プライマリユーザの存在を検出すること（２０３５）。
【０１９９】
ｅＮＢによって実行されるチャネル条件測定およびチャネル使用分析は、定期的および／または不規則的であってもよい。ｅＮＢが測定およびチャネル使用分析を実行するようにトリガーするイベントは、ＷＴＲＵからのチャネル測定が事前定義済みのしきい値を超えて変化すること、およびＤＬ受信品質が事前定義済みのしきい値よりも大きく変化する（たとえば、所定の期間の関連するＷＴＲＵからのＮＡＣＫの数が特定の値よりも大きい）ことを含むことができる。
【０２００】
キャリア変更フェーズ２０５０は、ｅＮＢが別のオペレーティングチャネルに切替えるか、またはセカンダリ／補足キャリアを非アクティブ化するフェーズである。このフェーズにおけるｅＮＢの例示的なタスクは、チャネル切替えまたは非アクティブ化の必要を決定するステップ（２０５１）、および、チャネル切替えが確認される場合（２０５３）、初期化フェーズ２０１０に示されるステップであってもよいセル検索ステップ（２０５５）を実施するステップを含むことができる。使用可能なチャネルが見つからない場合、このキャリアは非アクティブ化されてもよい。一方、チャネル切替えが２０５３において確認されない場合、ｅＮＢは単に現在のチャネルにとどまる（２０５７）。
【０２０１】
オペレーティングチャネルを切替えるか、またはキャリアを非アクティブ化する必要があるかどうかを評価するために使用される基準は、システムに依存する。これは、オペレーティング技術、パフォーマンス要件（たとえば、ＱｏＳ）、および干渉のタイプのような要因の１または複数に依存してもよい。
実施形態
【０２０２】
１つの実施形態において、可用性についてスペクトルを監視するために基地局で実施される方法であって、スペクトル内の候補チャネルのリストを管理エンティティから受信するステップと、使用の候補に関するリスト内の候補チャネルの少なくとも１つを監視するステップとを備える方法。
【０２０３】
この実施形態によれば、方法は、スペクトルの使用に対するポリシーのセットを受信するステップをさらに備えることができる。
【０２０４】
前述の実施形態のいずれかは、スペクトル内の候補チャネルのその他の潜在的なユーザに関する共存情報を受信するステップをさらに備えることができる。
【０２０５】
前述の実施形態のいずれかは、ポリシーの少なくとも一部が管理エンティティから受信されることをさらに備えることができる。
【０２０６】
前述の実施形態のいずれかは、管理エンティティに登録するステップをさらに備えることができる。
【０２０７】
前述の実施形態のいずれかは、監視に基づいて使用のリスト内の候補チャネルの１つを選択するステップをさらに備えることができる。
【０２０８】
前述の実施形態のいずれかは、候補チャネルがランク付けされることをさらに備えることができる。
【０２０９】
前述の実施形態のいずれかは、監視するステップがリスト内の候補チャネルのＮ個を選択するステップを備え、Ｎは、リスト内のチャネルの数と等しいかまたはそれよりも小さい整数であることをさらに備えることができる。
【０２１０】
前述の実施形態のいずれかは、共存情報およびポリシーに基づいて、Ｎ個のチャネルが選択されることをさらに備えることができる。
【０２１１】
前述の実施形態のいずれかは、共存情報が少なくともチャネルタイプを備え、チャネルタイプは、（１）基地局による使用に専用であるチャネルを備える二次認可チャネル、（２）基地局ではないプライマリユーザに認可されるが、プライマリユーザ以外のユーザによる使用がチャネルのプライマリユーザの使用を妨げない場合にプライマリユーザ以外のユーザによって使用されてもよいチャネルを備えるプライマリユーザ割り当てのチャネル、ならびに（３）基地局および認可不要ユーザによる使用に使用可能であり、プライマリユーザ割り当てのチャネルではないチャネルを備える使用可能なチャネルを含むことをさらに備えることができる。
【０２１２】
前述の実施形態のいずれかは、Ｎ個のチャネルがランク付けされることをさらに備えることができる。
【０２１３】
前述の実施形態のいずれかは、Ｎ個のチャネルをランク付けするステップが、使用可能チャネルより上に二次認可チャネルを優先順位付けするステップと、プライマリユーザ割り当てのチャネルより上に使用可能なチャネルを優先付けするステップとを備えることをさらに備えることができる。
【０２１４】
前述の実施形態のいずれかは、Ｎ個のチャネルをランク付けるステップが少なくとも部分的に、基地局のセルサイズに関して許容される送信電力の関数であることをさらに備えることができる。
【０２１５】
前述の実施形態のいずれかは、監視するステップが二次認可のチャネルタイプではないＮ個のチャネルの少なくともチャネルを監視するステップを備えることをさらに備えることができる。
【０２１６】
前述の実施形態のいずれかは、Ｎ個のチャネルの識別を管理エンティティに送信するステップをさらに備えることができる。
【０２１７】
前述の実施形態のいずれかは、基地局によって監視されているチャネルの識別を管理エンティティに送信するステップをさらに備えることができる。
【０２１８】
前述の実施形態のいずれかは、候補チャネルの少なくとも１つを監視するように送信／受信ユニット（ＷＴＲＵ）を構成するためのメッセージを、基地局と通信するＷＴＲＵに送信するステップをさらに備えることができる。
【０２１９】
前述の実施形態のいずれかは、ランク付けするステップが少なくとも部分的に監視するステップに基づくことをさらに備えることができる。
【０２２０】
前述の実施形態のいずれかは、監視するステップが特徴検出を備えることをさらに備えることができる。
【０２２１】
前述の実施形態のいずれかは、特徴検出が候補チャネルのユーザの無線通信プロトコルの決定を含むことをさらに備えることができる。
【０２２２】
前述の実施形態のいずれかは、ランク付けするステップが少なくとも部分的に特徴検出の関数であることをさらに備えることができる。
【０２２３】
前述の実施形態のいずれかは、少なくとも１つのその他のユーザによるチャネルの特定の使用の検出に応答して、候補チャネル監視再選出手順を開始するステップをさらに備えることができる。
【０２２４】
前述の実施形態のいずれかは、候補チャネル監視再選出手順が更新済みチャネルリストについて管理エンティティにメッセージを送信するステップを備えることをさらに備えることができる。
【０２２５】
前述の実施形態のいずれかは、候補チャネル監視再選出手順が、特定の使用が検出されたチャネルをＮ個のチャネルから除去するステップと、それを更新済みチャネルリストの別のチャネルと置き換えるステップとを備えることをさらに備えることができる。
【０２２６】
前述の実施形態のいずれかは、候補のステータス変更の通知を管理エンティティから受信するステップと、ステータス変更の通知に応答して、候補チャネル監視再選出手順を開始するステップとをさらに備えることができる。
【０２２７】
前述の実施形態のいずれかは、共存情報が少なくともチャネルタイプを備え、チャネルタイプは、（１）基地局による使用に専用であるチャネルを備える二次認可チャネル、（２）基地局ではないプライマリユーザに認可されるが、プライマリユーザ以外のユーザによる使用がチャネルのプライマリユーザの使用を妨げない場合にプライマリユーザ以外のユーザによって使用されてもよいチャネルを備えるプライマリユーザ割り当てのチャネル、および（３）基地局および認可不要ユーザによる使用に使用可能であり、プライマリユーザ割り当てのチャネルではないチャネルを備える使用可能なチャネルとを含むことと、候補チャネル監視再選出手順は、Ｎ個のチャネルの１つが別のユーザにより二次認可のチャネルタイプになることを備えるステータスの変更に応答して、Ｎ個のチャネルのその１つをＮ個のチャネルのリストから除去するステップと、それを別のチャネルと置き換えるステップとを備えることとをさらに備えることができる。
【０２２８】
前述の実施形態のいずれかは、共存情報が少なくともチャネルタイプを備え、チャネルタイプは、（１）基地局による使用に専用であるチャネルを備える二次認可チャネル、（２）基地局ではないプライマリユーザに認可されるが、プライマリユーザ以外のユーザによる使用がチャネルのプライマリユーザの使用を妨げない場合にプライマリユーザ以外のユーザによって使用されてもよいチャネルを備えるプライマリユーザ割り当てのチャネル、および（３）基地局および認可不要ユーザによる使用に使用可能であり、プライマリユーザ割り当てのチャネルではないチャネルを備える使用可能なチャネルを含み、候補チャネル監視再選出手順は、Ｎ個のチャネルの１つがプライマリユーザのチャネルタイプになることを備えるステータスの変更に応答して、プライマリユーザ使用のためにＮ個のチャネルの１つを監視するように基地局を再構成するステップを備えることをさらに備えることができる。
【０２２９】
前述の実施形態のいずれかは、候補チャネル監視再選出手順が、Ｎ個のチャネルの１つがセカンダリユーザにより使用されることを備えるステータスの変更に応答して、Ｎ個のチャネルのその１つをＮ個のチャネルのリストから除去するステップと、それを別のチャネルと置き換えるステップとを備えることとをさらに備えることができる。
【０２３０】
前述の実施形態のいずれかは、候補チャネル監視再選出手順が、スペクトル内のチャネルが使用のために使用可能になることを備えるステータスの変更に応答して、チャネルの１つをＮ個のチャネルのリストから除去するステップと、それを使用可能になるチャネルと置き換えるステップとを備えることとをさらに備えることができる。
【０２３１】
前述の実施形態のいずれかは、更新済み候補チャネルリストを要求するメッセージを管理エンティティに定期的に送信するステップと、以前管理エンティティから受信した候補チャネルリストと比較して、更新済み候補チャネルリストの変更に応答して、候補チャネル監視再選出手順を開始するステップとをさらに備えることができる。
【０２３２】
前述の実施形態のいずれかは、ポリシーが基地局ポリシーエンジンによって規制されることをさらに備えることができる。
【０２３３】
前述の実施形態のいずれかは、基地局ポリシーエンジンがオペレータポリシーおよびローカルポリシーを組み合わせて基地局の制約を生成することをさらに備えることができる。
【０２３４】
前述の実施形態のいずれかは、監視するステップが、管理エンティティと対話するステップと、１または複数の候補チャネルを基地局によって選択するステップと、基地局によって、周波数間測定を開始するように認知検知対応の無線送信／受信ユニット（ＷＴＲＵ）を構成することとをさらに備えることができる。
【０２３５】
前述の実施形態のいずれかは、ＷＴＲＵからの検出イベントを、基地局から受信することをさらに備えることができる。
【０２３６】
前述の実施形態のいずれかは、検出イベントがセカンダリユーザによるチャネルの使用を指示することをさらに備えることができる。
【０２３７】
前述の実施形態のいずれかは、検出イベントがプライマリユーザによるチャネルの使用を指示することをさらに備えることができる。
【０２３８】
前述の実施形態のいずれかは、検出イベントがＲＲＣシグナリングを介して受信されることをさらに備えることができる。
【０２３９】
前述の実施形態のいずれかは、トリガーイベントが満たされる場合、共存マネージャから更新情報を受信するステップを備えることができる。
【０２４０】
前述の実施形態のいずれかは、トリガーイベントが、近隣基地局がチャネルを割り振ることであることをさらに備えることができる。
【０２４１】
前述の実施形態のいずれかは、トリガーイベントが、しきい値を超えるチャネル使用であることをさらに備えることができる。
【０２４２】
前述の実施形態のいずれかは、トリガーイベントが、チャネルリスト内のチャネルのチャネルタイプの変更であることをさらに備えることができる。
【０２４３】
前述の実施形態のいずれかは、トリガーイベントが、潜在的な候補チャネルをチャネルリストに追加することであることをさらに備えることができる。
【０２４４】
前述の実施形態のいずれかは、スペクトルが認可免除スペクトルであることをさらに備えることができる。
【０２４５】
もう１つの実施形態において、または前述の実施形態のいずれかに関連して、スペクトル内の無線通信チャネルを割り振るためのシステムは、スペクトル内の候補チャネルのリストを送信するように構成された共存マネージャと、無線送信／受信ユニット（ＷＴＲＵ）と、共存マネージャおよび無線送信／受信ユニットと通信する基地局とを含むことができ、基地局は、スペクトル内の候補チャネルのリストを共存管理エンティティから受信し、基地局による使用の候補に関するリスト内の候補チャネルの少なくとも１つを監視するように構成される。
【０２４６】
前述の実施形態のいずれかは、基地局が、スペクトル内のチャネル割当てに関連するポリシーを格納するように構成されたポリシーエンジンと、ポリシーをポリシーエンジンから受信し、候補チャネルのリストを共存管理エンティティから受信し、候補チャネルリスト内のチャネルの少なくともサブセットの監視を構成するように構成されたスペクトルアロケータと、基地局と共存管理エンティティとの間の通信を管理するように構成されたＲＲＭ管理および制御エンティティとを備えることをさらに備えることができる。
【０２４７】
前述の実施形態のいずれかは、スペクトルアロケータが、ＬＥ使用情報を共存マネージャに提供するように構成されることをさらに備えることができる。
【０２４８】
前述の実施形態のいずれかは、少なくとも１つの候補チャネルを監視するように構成された検知プロセッサをさらに備えることができる。
【０２４９】
前述の実施形態のいずれかは、スペクトルアロケータが、少なくとも１つの候補チャネルを監視するように検知プロセッサを構成するための第１の検知構成メッセージを検知プロセッサに送信するようにさらに構成されることをさらに備えることができる。
【０２５０】
前述の実施形態のいずれかは、ＲＲＭ管理および制御エンティティが、構成要求メッセージを共存管理エンティティに送信し、候補チャネルのリストを含む構成応答メッセージを共存管理エンティティから受信し、候補チャネルのリストをスペクトルアロケータに送信するように構成されることをさらに備えることができる。
【０２５１】
前述の実施形態のいずれかは、構成応答メッセージが、スペクトル内のチャネル割当てに関連するポリシー情報をさらに含み、ＲＲＭ管理および制御エンティティがポリシー情報をポリシーエンジンに送信するようにさらに構成されることをさらに備えることができる。
【０２５２】
前述の実施形態のいずれかは、スペクトルアロケータが、少なくとも１つの候補チャネルを監視するようにＷＴＲＵを構成するための第２の検知構成メッセージをＲＲＭ管理および制御エンティティに送信するようにさらに構成され、ＲＲＭ管理および制御エンティティが、少なくとも１つの候補チャネルを監視するようにＷＴＲＵを構成するための情報を含むＲＲＣ測定再構成メッセージをＷＴＲＵに送信するようにさらに構成されることをさらに備えることができる。
【０２５３】
もう１つの実施形態において、または前述の実施形態のいずれかに関連して、認可免除スペクトル内のチャネルの基地局による使用を割り振るための方法は、スペクトル内の候補チャネルのリストを共存管理エンティティから受信するステップと、使用の候補に関するリスト内の候補チャネルの少なくとも１つを監視するステップと、無線送信／受信ユニット（ＷＴＲＵ）と通信するために候補チャネルの少なくとも１つを使用するステップと、少なくとも１つのチャネルのステータスに変化が発生したときに検出するステップと、少なくとも１つのチャネルのステータスの変化の検出に応答して、少なくとも１つのチャネルが基地局による使用に引き続き使用可能であるかどうかを決定するステップと、少なくとも１つのチャネルが基地局による使用に使用可能ではないと決定される場合、別のチャネルに切替えるステップとを備えることができる。
【０２５４】
前述の実施形態のいずれかは、ステータス変更がプライマリユーザによる少なくとも１つのチャネルの使用を備える場合、チャネルを退避するステップをさらに備えることができる。
【０２５５】
前述の実施形態のいずれかは、ステータス変更が、少なくとも１つのチャネルがプライマリユーザに割り当てられることを備える場合、プライマリユーザの監視を含むように少なくとも１つのチャネルの監視を再構成するステップをさらに備えることができる。
【０２５６】
前述の実施形態のいずれかは、ステータス変更が、少なくとも１つのチャネルがプライマリユーザに使用されることを備える場合、チャネルを退避するステップをさらに備えることができる。
【０２５７】
前述の実施形態のいずれかは、ステータス変更が、しきい値を超える基地局以外のセカンダリユーザによる少なくとも１つのチャネルの使用を備える場合、チャネルを退避するステップをさらに備えることができる。
【０２５８】
前述の実施形態のいずれかは、少なくとも１つのチャネルが通信に使用されるステータスの変更についての通知を管理エンティティから受信するステップと、ステータスの変更に応答して少なくとも１つのチャネルの監視を再構成するステップとをさらに備えることができる。
【０２５９】
もう１つの実施形態において、または前述の実施形態のいずれかに関連して、基地局と少なくとも１つの無線送信／受信ユニット（ＷＴＲＵ）との間の通信を、認可免除スペクトルの第１のチャネルから第２のチャネルへ切替えるための方法は、通信が切替えられる第２のチャネルを識別するチャネル切替え要求を基地局において受信するステップと、チャネル切替えＭＡＣ  ＣＥを含むＭＡＣ  ＰＤＵを基地局において作成するステップであって、チャネル切替えＭＡＣ  ＣＥはチャネル切替え要求に含まれる情報を含むステップと、ＭＡＣ  ＰＤＵを基地局から少なくとも１つのＷＴＲＵに送信するステップと、少なくとも１つのＷＴＲＵにおいてＭＡＣ  ＰＤＵを受信するステップと、ＲＲＣ  Ｃｏｎｎｅｃｔｉｏｎ  Ｒｅｃｏｎｆｉｇｕｒａｔｉｏｎ（ＲＲＣ接続再構成）メッセージを基地局から少なくとも１つのＷＴＲＵに送信するステップと、ＲＲＣメッセージングを使用して基地局と少なくとも１つのＷＴＲＵとの間の通信を再構成するステップとを備えることができる。
【０２６０】
前述の実施形態のいずれかは、チャネル切替え要求が基地局のＲＲＣレイヤで受信されることをさらに備えることができる。
【０２６１】
前述の実施形態のいずれかは、チャネル切替え要求メッセージの受信に応答して、基地局がＲＲＭ関連の処理を使用不可にして、チャネル切替え要求メッセージをＭＡＣレイヤに転送し、ＭＡＣレイヤがＭＡＣ  ＰＤＵを作成することをさらに備えることができる。
【０２６２】
前述の実施形態のいずれかは、ＭＡＣレイヤが、チャネル切替えが生じるべきフレームを明らかにするチャネル切替え時間指示メッセージをＲＲＣレイヤに送信することをさらに備えることができる。
【０２６３】
前述の実施形態のいずれかは、少なくとも１つのＷＴＲＵが、ＭＡＣ  ＰＤＵの受信後にＨＡＲＱバッファおよびコンテキスト情報を保持することをさらに備えることができる。
【０２６４】
前述の実施形態のいずれかは、ＭＡＣ  ＣＥが、チャネル切替えを受けるキャリアを識別するキャリアインジケータフィールド（ＣＩＦ）と、第２のチャネルを識別するターゲットチャネル番号と、少なくとも１つのＷＴＲＵが第２のチャネルで送信することができる最大電力を指定する最大電力フィールドと、チャネル切替えが生じるべきＳＦＮを含むフレームおよび／またはサブフレーム番号と、第２のチャネルの物理セルＩＤを指示する新しいセルＩＤのうちの少なくとも１つを備えることをさらに備えることができる。
【０２６５】
もう１つの実施形態において、または前述の実施形態のいずれかに関連して、基地局と少なくとも１つの無線送信／受信ユニット（ＷＴＲＵ）との間の通信を、認可免除スペクトルの第１のチャネルから第２のチャネルへ切替えるための方法は、通信が切替えられる第２のチャネルを識別するチャネル切替え要求を基地局において受信するステップと、基地局のＲＲＣレイヤが、第２のチャネルの電源オンをトリガーし、チャネル切替えメッセージのＲＲＣ部分を作成して、情報を第２のチャネルに関連する基地局のＭＡＣレイヤに送信するステップと、ＭＡＣレイヤが、チャネル切替えが発生する時間を決定し、チャネル切替えが発生する時間の指示を含むチャネル切替えメッセージのＭＡＣ部分を作成するステップと、チャネル切替えをリソースブロックのセットに割当て、関連するチャネル切替えＤＣＩフォーマットをＰＤＣＣＨおよびＰＤＳＣＨにマッピングして、ＤＣＩを少なくとも１つのＷＴＲＵに送信するステップと、ＷＴＲＵのＭＡＣレイヤが、チャネル切替えメッセージのＭＡＣセクションを読み取り、チャネル切替え時間の時点で指定されたパラメータの使用を開始するステップと、ＷＴＲＵのＲＲＣレイヤが、チャネル切替えメッセージのＭＡＣセクションを読み取り、それに従って第２のチャネルで測定が実行されるように再構成するステップとを備えることができる。
【０２６６】
もう１つの実施形態において、または前述の実施形態のいずれかに関連して、スペクトル割当てのための方法は、基地局ノードのスペクトルアロケータにより、認可免除帯域内の無線通信ネットワークのノードの第１の動作周波数を割り当てるステップと、トリガーイベントに応答して、スペクトルアロケータにより、認可免除帯域内の第２の動作周波数にノードを再割り当てするステップとを備えることができる。
【０２６７】
前述の実施形態のいずれかは、第１の動作周波数の割り当てが認知検知対応のＷＴＲＵからのレポートに基づくことをさらに備えることができる。
【０２６８】
前述の実施形態のいずれかは、ノードを第２の動作周波数に再割り当てするに先立って、第１の動作周波数が監視されることをさらに備えることができる。
【０２６９】
前述の実施形態のいずれかは、認可免除帯域がＴＶホワイトスペースであることをさらに備えることができる。
【０２７０】
前述の実施形態のいずれかは、トリガーイベントが、第１の動作周波数の可用性の変化であることをさらに備えることができる。
【０２７１】
前述の実施形態のいずれかは、トリガーイベントが、第１の動作周波数の品質の変化であることをさらに備えることができる。
【０２７２】
前述の実施形態のいずれかは、第２の動作周波数への再割り当てがシームレスなチャネル変更であることをさらに備えることができる。
【０２７３】
前述の実施形態のいずれかは、シームレスなチャネル変更がＭＡＣ制御要素を使用することをさらに備えることができる。
【０２７４】
その他の実施形態において、装置は、前述の方法のいずれかを実行するように構成されてもよい。
【０２７５】
その他の実施形態において、有形のコンピュータ可読ストレージ媒体は、コンピューティングデバイスのメモリにロード可能であり、前述の方法のいずれかを実行するためにエンティティによって使用可能なデータ構造を内部に格納することができる。
結び
【０２７６】
２０１１年１０月１２日に出願された米国特許出願第１３／１７１，８０６号は、参照により全体として本明細書において援用される。２０１１年１１月１６日に出願された米国特許仮出願第６１／５６０，５７１号は、参照により全体として本明細書において援用される。
【０２７７】
特徴および要素は特定の組合せで上記で説明されるが、各々の特徴または要素は、単独で使用されるか、または他の特徴および要素の任意の組合せで使用されてもよいことを、当業者であれば理解するであろう。加えて、本明細書において説明される方法は、コンピュータまたはプロセッサにより実行するためにコンピュータ可読媒体に組み込まれたコンピュータプログラム、ソフトウェア、またはファームウェアにおいて実施されてもよい。非一時的コンピュータ可読ストレージ媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、磁気光学媒体、ＣＤ−ＲＯＭディスクおよびデジタル多用途ディスク（ＤＶＤ）などの光媒体を含むが、これらに限定されることはない。ソフトウェアと関連するプロセッサは、ＷＴＲＵ、ＵＥ、端末、基地局、ＲＮＣ、または任意のホストコンピュータにおいて使用する無線周波数送受信機を実施するために使用されてもよい。
【０２７８】
さらに、上記で説明される実施形態において、処理プラットフォーム、コンピューティングシステム、コントローラ、およびプロセッサを含むその他のデバイスが言及される。それらのデバイスは、少なくとも１つの中央演算処理装置（「ＣＰＵ」）およびメモリを含むことができる。コンピュータプログラミングの技術分野の当業者の手法に従い、動作および操作または命令の記号表現への参照は、さまざまなＣＰＵおよびメモリによって実行されてもよい。そのような動作および操作または命令は、「実行される」、「コンピュータにより実行される」、または「ＣＰＵにより実行される」ものと称されてもよい。
【０２７９】
当業者であれば、動作および記号表現された操作または命令がＣＰＵによる電気信号の操作を含むことを理解するであろう。電気システムは、結果として電気信号の変換または減少を生じうるデータビット、およびＣＰＵの動作ならびに信号のその他の処理を再構成またはその他の方法で変更するための、メモリシステム内のメモリロケーションにおけるデータビットの保持を表す。データビットが保持されるメモリロケーションは、データビットに対応するか、またはデータビットを代表する特定の電気的、磁気的、光学的、または有機的特性を有する物理的ロケーションである。
【０２８０】
データビットはまた、磁気ディスク、光ディスク、およびＣＰＵによって読み取り可能なその他の揮発性（たとえば、ランダムアクセスメモリ（「ＲＡＭ」））、または不揮発性（たとえば読み取り専用メモリ（「ＲＯＭ」））大容量ストレージシステムを含むコンピュータ可読媒体に保持されてもよい。コンピュータ可読媒体は、協働するかまたは相互接続されたコンピュータ可読媒体を含むことができ、コンピュータ可読媒体は処理システムに排他的に存在するか、もしくは処理システムにローカルまたはリモートであってもよい複数の相互接続された処理システム間に分散される。例示的な実施形態が前述のメモリに限定されないこと、なたびにその他のプラットフォームおよびメモリが説明される方法をサポートしうることを理解されたい。
【０２８１】
本願の説明に使用されているいかなる要素、行為、または指示も、明示的に記述されない限り、決定的または不可欠であると解釈されるべきではない。また、本明細書に使用されているように、冠詞「ａ」は１または複数の項目を含むことが意図されている。１つの項目のみが意図される場合、「１つ（ｏｎｅ）」または類似する表現が使用される。さらに、本明細書において使用される、複数の項目および／または項目の複数のカテゴリのリスト表示が後に続く「ａｎｙ  ｏｆ（任意の）」という用語は、単独の、もしくはその他の項目および／または項目のその他のカテゴリとの組合せでの、項目および／または項目のカテゴリの「ａｎｙ  ｏｆ（任意の）」、「ａｎｙ  ｃｏｍｂｉｎａｔｉｏｎ  ｏｆ（任意の組合せ）」、「ａｎｙ  ｍｕｌｔｉｐｌｅ  ｏｆ（任意の複数の）」、および／または「ａｎｙ  ｃｏｍｂｉｎａｔｉｏｎ  ｏｆ  ｍｕｌｔｉｐｌｅｓ  ｏｆ（複数の任意の組合せ）」を含むことが意図される。さらに、本明細書において使用される、「ｓｅｔ（セット）」という用語は、ゼロを含む任意の数の項目を含むことが意図される。さらに、本明細書において使用される、「ｎｕｍｂｅｒ（数）」という用語は、ゼロを含む任意の数を含むことが意図される。
【０２８２】
さらに、特許請求の範囲は、その主旨の記述がない限り、説明されている順序または要素に限定されるものと解釈されるべきではない。加えて、任意の特許請求の範囲における「ｍｅａｎｓ（手段）」という用語は、米国特許法１１２条（６）項を行使することが意図され、「ｍｅａｎｓ」という語を伴わない特許請求の範囲はそのような意図を持たない。
【０２８３】
本明細書においてシステムおよび方法は、ＵＷＢマルチバンド通信システムに関して説明されてきたが、これはマイクロプロセッサ／汎用コンピュータ（図示せず）上のソフトウェアで実施されていてよいことが企図される。特定の実施形態において、さまざまなコンポーネントの機能の１または複数は、汎用コンピュータを制御するソフトウェアにおいて実施されてもよい。
【図１Ａ】
2015506604.tif 000008
【図１Ｂ】
2015506604.tif 000009
【図１Ｃ】
2015506604.tif 000010
【図２】
2015506604.tif 000011
【図３】
2015506604.tif 000012
【図５】
2015506604.tif 000013
【図６】
2015506604.tif 000014
【図１０】
2015506604.tif 000015
【図１１】
2015506604.tif 000016
【図１２】
2015506604.tif 000017
【図１３】
2015506604.tif 000018
【図１４】
2015506604.tif 000019
【図１５】
2015506604.tif 000020
【図１６】
2015506604.tif 000021
【図１７】
2015506604.tif 000022
【図１８】
2015506604.tif 000023
【図１９】
2015506604.tif 000024
【図２０】
2015506604.tif 000025
【図４】
2015506604.tif 000026
【図７】
2015506604.tif 000027
【図８】
2015506604.tif 000028
【図９Ａ】
2015506604.tif 000029
【図９Ｂ】
2015506604.tif 000030
【国際調査報告】
2015506604.tif 000031
2015506604.tif 000032
2015506604.tif 000033
2015506604.tif 000034
2015506604.tif 000035